(57)【要約】    【課題】適正メダルの投入が容易であり、しかも不正メダル又は疑似部材の投入を極力防止できるようにする。    【解決手段】  メダルを投入するメダル投入口３４を備える。メダル投入口３４は、その入口３４ａを広くし、出口３４ｂ側を入口３４ａよりも狭くする。入口３４ａはメダル１枚の厚みよりも大でメダル２枚の厚みよりも小であり、出口３４ｂ側はメダル１枚の厚みよりも大である。メダル投入口３４は入口３４ａ側から出口３４ｂ側が狭くなるテーパー状である。【選択図】図８
2018042813.tif 000002
【特許請求の範囲】
【請求項１】
メダルを投入するメダル投入口を備えた遊技機において、
前記メダル投入口の入口を広くし、
前記メダル投入口の出口側を前記入口よりも狭くした
ことを特徴とする遊技機。
【請求項２】
前記入口はメダル１枚の厚みよりも大でメダル２枚の厚みよりも小であり、
前記出口側はメダル１枚の厚みよりも大である
ことを特徴とする請求項１に記載の遊技機。
【請求項３】
前記メダル投入口は前記入口側から前記出口側が狭くなるテーパー状である
ことを特徴とする請求項１又は２に記載の遊技機。
【発明の詳細な説明】
【技術分野】
【０００１】
本発明は、スロットマシン、パチンコ機等の遊技機に関するものである。
【背景技術】
【０００２】
遊技媒体としてメダルを用いるスロットマシン等の遊技機は、筐体の前面に装着された前面パネルに、メダル投入口を有するメダル用の投入口部材を備え、そのメダル投入口から１ゲーム当たり所定数のメダルを投入してゲームを行うようになっている。
メダル投入口から投入されたメダルは、案内通路を経て前面パネルの裏側のメダル選別手段へと案内して正、不正の選別を行った後、正規のメダルは案内シュートを経て筐体側のメダルホッパーへと案内し、不正メダルはメダル選別手段で除去し返却通路を経て前面パネルの下部の受け皿へと返却する。
投入口部材は、厚み方向に重ねた複数枚のメダルを前後方向に並べて受ける円弧状の受け部と、この受け部の後端側に形成されたメダル投入口とを備え、受け部上のメダルを後方へと押圧することにより、その複数枚のメダルの内、後端側のメダルがメダル投入口へと落下するようになっている。メダル投入口は上端開口側の前後方向の寸法がメダル１枚の厚みよりも大でメダル２枚の厚みよりも小であり、下端側が前後に広がるテーパー状に形成されている（特許文献１）。
【先行技術文献】
【特許文献】
【０００３】
【特許文献１】特開２０１０−４２３１６号公報
【発明の概要】
【発明が解決しようとする課題】
【０００４】
メダル選別手段自体、又はメダル選別手段から案内シュートの終端に至る案内経路中に、不正行為の防止対策として不正メダル等の投入を検出して排除する不正行為検出機能を備えたものが採用されている。
一方、不正メダル又は疑似部材には、本体部分の厚みが正メダルよりも若干大になるものの、その本体部分の外周側の厚みを正メダルよりも薄くしてメダル選別手段の厚み検出機能を無効化する等、メダル選別手段が本来有する不正行為検出機能を無効化して、メダル選別手段の途中に停止した状態でメダル選別手段を誤動作させてクレジットの増加を図るような不正メダル又は疑似部材が出現している。
この種の不正メダル又は疑似部材は、メダル投入口を通過すればメダル選別手段側に進入してメダル選別手段が誤動作をするので、その不正メダル又は疑似部材のメダル投入口への投入自体を防止する必要がある。
しかし、従来のメダル投入口は、上端開口側から下端側へと前後に広がるテーパー状になっているため、メダル投入口の上端開口を通過しさえすれば、その不正メダル又は疑似部材がメダル選別手段側へと簡単に到達することとなる。
本発明は、このような従来の問題点に鑑み、不正メダル又は疑似部材の投入を極力防止できる遊技機を提供することを目的とする。
【課題を解決するための手段】
【０００５】
本発明は、メダルを投入するメダル投入口を備えた遊技機において、前記メダル投入口の入口を広くし、前記メダル投入口の出口側を前記入口よりも狭くしたものである。
前記入口はメダル１枚の厚みよりも大でメダル２枚の厚みよりも小であり、前記出口側はメダル１枚の厚みよりも大であってもよい。前記メダル投入口は前記入口側から前記出口側が狭くなるテーパー状であってもよい。
【発明の効果】
【０００６】
本発明によれば、不正メダル又は疑似部材の投入を極力防止できる利点がある。
【図面の簡単な説明】
【０００７】
【図１】本発明の第１の実施形態を例示するスロットマシンの正面図である。
【図２】同側面図である。
【図３】同前面パネルの背面図である。
【図４】同筐体の正面図である。
【図５】同制御系のブロック図である。
【図６】同スロットマシンの要部の断面図である。
【図７】同投入口部材の分解図である。
【図８】同投入口部材の断面図である。
【図９】同投入口部材の正面図である。
【図１０】同投入口部材の拡大断面図である。
【図１１】同投入口部材、メダル選別手段の背面図である。
【図１２】同メダル選別手段の背面図である。
【図１３】同メダル選別手段の側面断面図である。
【図１４】同メダル案内シュート側の平面図である。
【図１５】同メダル案内シュート側の背面図である。
【図１６】同メダル選別手段の説明図である。
【図１７】同メダル案内シュートの説明図である。
【図１８】同メダル投入処理のフローチャートである。
【図１９】同メダル投入処理のフローチャートである。
【図２０】同投入メダルエラーの検知の説明図である。
【図２１】同メダル検出のタイムチャートである。
【図２２】同遷移及び滞留チェック処理のフローチャートである。
【図２３】本発明の第２の実施形態を示す投入口部材の一部破断平面図である。
【図２４】同投入口部材の断面図である。
【図２５】本発明の第３の実施形態示す投入口部材の断面図である。
【図２６】本発明の第４の実施形態示す投入口部材の断面図である。
【図２７】本発明の第５の実施形態示す投入口部材の断面図である。
【発明を実施するための形態】
【０００８】
以下、本発明の実施形態を図面に基づいて詳述する。
【０００９】
図１〜図２２は本発明をスロットマシンに採用した第１の実施形態を例示する。このスロットマシンは、図１〜図４に示すように、矩形箱状の筐体１と、この筐体１の前側に配置され且つ左右一端側のヒンジを介して筐体１に開閉自在に枢着された前面パネル２とを備えている。筐体１は遊技機本体枠の一例を、前面パネル２は前面開閉扉の一例を夫々示している。
【００１０】
筐体１内には、図４に示すように、その上下方向の略中央部に図柄表示手段３が配置され、この図柄表示手段３の下側にメダルホッパー４、メダル払い出し手段５、補助タンク６及び電源ユニット７が配置され、また図柄表示手段３の上側に主制御基板８、確率設定基板９が配置されている。
【００１１】
図柄表示手段３は横軸廻りに個別に回転・停止可能な回転リール１０ａ〜１０ｃを左右方向に３個（複数個）備えたものであって、筐体１内に固定された棚板１１上に取り付けられている。各回転リール１０ａ〜１０ｃには、周方向に複数駒の遊技図柄が付されている。なお、遊技図柄にはＢＢ（ビッグボーナス）、ＲＢ（レギュラーボーナス）等の文字図柄や、各種のフルーツ図柄、リプレイ図柄等がある。
【００１２】
メダルホッパー４、メダル払い出し手段５は筐体１の底板１２上に上下に配置され、その左右両側に電源ユニット７と補助タンク６とが配置されている。メダルホッパー４は投入メダルを含む払い出し用のメダルを貯留するためのものであり、メダル払い出し手段５上に設けられている。
【００１３】
メダル払い出し手段５はメダルホッパー４内のメダルを遊技者に対して払い出すためのものであり、筐体１の底板１２上に配置された払い出しケース１３と、傾斜軸廻りに回転してメダルホッパー４内のメダルを払い出し口１４から前側に払い出す回転板１５と、払い出しケース１３内に設けられ回転板１５を傾斜軸廻りに駆動する払い出しモータ１６とを備えている。なお、払い出しケース１３内には、図５に示す払い出し接続基板１７、払い出し基板１８、払い出しセンサ１９等が収納されている。
【００１４】
電源ユニット７は電源コード等を介して外部電源に接続された電源基板２０（図５参照）を有する。補助タンク６はメダルホッパー４のオーバーフロー部４ａからオーバーフローしたメダルを受けるものである。
【００１５】
主制御基板８は後述するように遊技動作の制御を司るもので、主制御基板ケース等を介して筐体１の後壁２１の内面等に着脱自在に装着されている。確率設定基板９は図柄表示手段３の表示結果が入賞態様となる確率設定を行うもので、確率設定基板ケース等を介して筐体１の後壁２１の内面等に着脱自在に装着されている。
【００１６】
前面パネル２には、図柄表示手段３に対応する表示窓２３が上下方向の略中央部に設けられ、この表示窓２３の上側に液晶表示窓２４及び液晶表示手段２５が前後に対応して配置され、また表示窓２３の下側に操作パネル２６、装飾パネル２７、メダル受け皿２８が夫々配置されている。
【００１７】
表示窓２３は図柄表示手段３の３個の回転リール１０ａ〜１０ｃに付された遊技図柄を視認可能であり、各回転リール１０ａ〜１０ｃが停止したときに、上下方向に３個（複数）の遊技図柄を視認可能な大きさになっている。表示窓２３には各回転リール１０ａ〜１０ｃにより停止表示される各３個の遊技図柄に対応する水平方向に２本又は３本、対角線方向の二本の仮想的な停止ライン（図示省略）が付されている。
【００１８】
液晶表示手段２５は、回転リール１０ａ〜１０ｃ等による遊技状態を盛り上げるためのキャラクタ等の演出画像を表示するようになっている。回転リール１０ａ〜１０ｃの内部には、各回転リール１０ａ〜１０ｃの停止時に表示窓２３側に対応する３個の遊技図柄を発光させるように、リールＬＥＤ基板３０ａ〜３０ｃ（図５参照）に装着されたリールＬＥＤが配置されている。なお、リールＬＥＤは各回転リール１０ａ〜１０ｃの回転状態や停止状態、或いは各種演出に応じて点灯・消灯されるようになっている。
【００１９】
操作パネル２６は、図１、図６に示すように、上向きに傾斜する上パネル部３１と、この上パネル部３１の前端から下方に屈曲する前パネル部３２とを有する。上パネル部３１には、メダルを投入するメダル投入口３４を有する投入口部材３５と、クレジット状態のメダルを擬似的に３枚投入するマックスベットボタン３７とが配置されている。メダル投入口３４は後述のように投入口部材３５に設けられている。
【００２０】
前パネル部３２には、スタートレバー３８と停止ボタン３９ａ〜３９ｃと返却ボタン４０とクレジット精算ボタン４１とが設けられている。スタートレバー３８は回転リール１０ａ〜１０ｃを回転させるためのものであり、このスタートレバー３８を操作したときに各回転リール１０ａ〜１０ｃが正方向に回転を開始するようになっている。
【００２１】
停止ボタン３９ａ〜３９ｃは回転リール１０ａ〜１０ｃを停止させるためのものであり、各回転リール１０ａ〜１０ｃに対応して個別に設けられており、この停止ボタン３９ａ〜３９ｃを操作したときに回転中の回転リール１０ａ〜１０ｃが個別に停止するようになっている。
【００２２】
なお、回転リール１０ａ〜１０ｃは、内部当選状態を予告するリール演出を行う場合には、その一部又は全部が変則的に回転（いわゆる「演出回転」）した上で正方向の回転を開始することもある。
【００２３】
返却ボタン４０はメダル選別手段４３に詰まったメダルの返却用であり、この返却ボタン４０を操作したときにメダル選別手段４３内のメダルがメダル排出口４４を経てメダル受け皿２８へと返却されるようになっている。クレジット精算ボタン４１はクレジット状態のメダル（クレジットとして貯留中のメダル）を払い出すためのものであり、このクレジット精算ボタン４１を操作したときに貯留中のメダルがメダル払い出し手段５により払い出されるようになっている。なお、返却ボタン４０の右側には、専用のキーを差し込むための鍵穴４５が設けられている。
【００２４】
スロットマシンでは、一般にメダル投入口３４からのメダルの投入、又はマックスベットボタン３７の操作により賭数の設定が可能である。そして、図柄表示手段３の３個の回転リール１０ａ〜１０ｃの数と同数の「３」のメダル数を設定する等、１ゲームに対して所定数のメダルの賭数を設定することにより、ゲームを開始可能である。
【００２５】
メダルの賭数を設定した後にスタートレバー３８を操作すれば、図柄表示手段３の３個の回転リール１０ａ〜１０ｃが回転し、図柄表示手段３によるユニット図柄の図柄変動が開始する。その後、各停止ボタン３９ａ〜３９ｃを操作すると、各回転リール１０ａ〜１０ｃが停止して表示窓２３に所定の停止図柄が表示されてゲームが終了する。
【００２６】
なお、図柄表示手段３の停止図柄が所定の入賞役の組み合わせを構成すれば、その遊技成果としてメダル払い出し手段５によりメダルホッパー４内の所定数のメダルがメダル受け皿２８へと払い出される。
【００２７】
前面パネル２には、図１に示すように、メダル投入口３４から投入されたメダルの枚数を表示する投入枚数表示ＬＥＤ４６と、再遊技状態を示す再遊技表示ＬＥＤ４７と、回転リール１０ａ〜１０ｃの回転準備の完了を示す回転準備表示ＬＥＤ４８（１ゲームの開始に要する所定枚数のメダルの投入が完了したことを示すＬＥＤ：所謂スタートランプ）と、メダルの投入を受付可能な状態を示す受付可能表示ＬＥＤ４９と、メダルの払い出し数を表示する払い出し数表示部５０と、メダルの貯留数を表示する貯留数表示部５１とが表示窓２３と操作パネル２６との間に配置されている。
【００２８】
払い出し数表示部５０は遊技成果としてメダル払い出し手段５により払い出されるメダル数を表示するものであって、７セグメントＬＥＤを２個連設して構成されており、メダル数を表示する他、何等かの異常事態が発生したときには、その異常内容を表示するエラー表示器としても機能する。貯留数表示部５１はクレジットとして貯留されているメダル数を表示するものである。
【００２９】
前面パネル２には表示窓２３の左右両側及び上側にＬＥＤ演出部５３ａ〜５３ｃが設けられている。このＬＥＤ演出部５３ａ〜５３ｃは、例えばＢＢやＲＢに当選時の演出、ＡＴ（アシストタイム）やＡＲＴ（アシストリプレイタイム）等の状態を示す演出、ＡＴ中やＡＲＴ中のアシスト演出等の演出を行うものであり、所定の絵柄、意匠等が施された発光部を前面側に備え、背後のＬＥＤからの光によって発光部が発光して所定の演出を実行するように構成されている。
【００３０】
前面パネル２の裏側は、図３に示すように、表示窓２３の下側にメダル選別手段４３とメダル返却通路５４とメダル案内シュート５５とが設けられ、また四隅部分にスピーカ５６が配置され、表示窓２３の上側で左右のスピーカ５６間に基板ケース５７が配置されている。
【００３１】
メダル選別手段４３はメダル投入口３４から投入されたメダルから不正メダルを選別するためのものである。メダル返却通路５４はメダル選別手段４３により選別された不正メダルをメダル排出口４４を経てメダル受け皿２８へと返却するためのものであり、メダル選別手段４３の下側からメダル排出口４４へと縦方向に設けられている。このメダル返却通路５４には、メダル払い出し手段５の払い出し口１４から払い出されたメダルを受け入れるためのメダル受入れ口５８が設けられている。メダル案内シュート５５は後述のようにメダル選別手段４３により適正と判別されたメダルをメダルホッパー４へと案内するものである。
【００３２】
基板ケース５７には、図５に示す演出制御基板５９、演出インターフェース基板６０、液晶制御基板６１、液晶インターフェース基板６２等が収容されている。またメダル選別手段４３の側方には、図１に示す各種の遊技部材と主制御基板８との間の信号を中継する遊技中継基板６３（図５参照）が設けられている。
【００３３】
回転リール１０ａ〜１０ｃによるリール演出としては、例えば次のような第１〜第７等の演出が用意されている。その第１のリール演出は、回転リール１０ａ〜１０ｃが極めてゆっくり正方向に回転（正回転）して静止するスロー演出であり、第２のリール演出は、回転リール１０ａ〜１０ｃが正回転と逆回転を繰り返した後に、所定時間だけ逆回転して静止する逆回転演出である。
【００３４】
また第３のリール演出は、回転リール１０ａ〜１０ｃが第１の所定時間だけ正回転と逆回転を繰り返した後に静止する第１の揺動演出であり、第４のリール演出は、回転リール１０ａ〜１０ｃが所定時間だけ正回転と逆回転を繰り返した後に静止する揺動演出である。
【００３５】
第５のリール演出は、回転リール１０ａ〜１０ｃが所定時間だけ正回転と逆回転を繰り返した後に静止し、更に極めてゆっくり正回転した後に静止するスロー揺動演出であり、第６のリール演出は、回転リール１０ａ〜１０ｃが所定時間だけ正回転と逆回転を繰り返した後に静止し、更に所定時間だけ逆回転した後に静止する揺動逆回転演出である。また第７のリール演出は、回転リール１０ａ〜１０ｃが所定速度で正回転又は逆回転した後に所定の図柄に揃えて静止する演出である。
【００３６】
なお、この回転リール１０ａ〜１０ｃによるリール演出に際しては、液晶表示手段２５の画像によるキャラクタ演出、ＬＥＤランプの点滅によるランプ演出、スピーカ５６の音声による音声演出の全部又は一部を適宜に選択して実行するのが望ましい。
【００３７】
メダル投入口３４を含む投入口部材３５は、図６〜図１０に示すように構成されている。投入口部材３５はステンレス鋼等の金属製で、別体に形成された第１部材６５と第２部材６６とを前後に組み合わせて構成され、その第１部材６５側と第２部材６６側との間に断面横長状のメダル投入口３４が下向きに形成されており、図７，図８に示すように、その下部側を操作パネル２６の上パネル部３１の装着孔６７に挿入してネジ等の固定具により前面パネル２に着脱自在に固定されている。
【００３８】
第１部材６５は、上パネル部３１の上側に配置される上配置部６８と、この上配置部６８から下側に垂下して形成され且つ装着孔３３内に上側から挿入される前壁部６９とを一体に備えている。
【００３９】
上配置部６８には、複数枚のメダルを厚み方向に重ねた状態で載置可能なメダル受け部７０が前後方向に設けられている。メダル受け部７０は左右方向の中央部が左右両側よりも下側へと凹入する円弧状であって、前下りに傾斜状に設けられている。
【００４０】
第２部材６６は、上パネル部３１の上側に配置され且つメダル受け部７０の後端側に対応してメダルが当接可能な当接部７１と、この当接部７１から下側に垂下して形成され且つ装着孔６７内に上側から挿入される後壁部７２とを一体に備えている。第１部材６５と第２部材６６は左右両側部が前後に当接しており、位置決め凹部７３ａと位置決め突部７３ｂとにより位置決めされ、第２部材６６の後側から通孔７４ａに挿通され且つ第１部材６５のネジ孔７４ｂに螺合するネジにより着脱自在に結合されている。
【００４１】
メダル投入口３４は、メダル受け部７０の後端側で第１部材６５の前壁部６９と第２部材６６の後壁部７２との間に上下方向に設けられている。そして、このメダル投入口３４は、図１０に示すように、上端側の入口３４ａの前後幅ａが広く、下端側の出口３４ｂ側の前後幅ｂが入口３４ａよりも狭くなるテーパー状に形成されている。
【００４２】
即ち、メダル投入口３４は左右幅に対して前後幅が小さい偏平状であって、その上端側の入口３４ａの前後幅ａはメダル１枚の厚みよりも大でありメダル２枚の厚みよりも小であって、下端側の出口３４ｂ側の前後幅ｂはメダル１枚の厚みよりも若干大きい程度である。
【００４３】
メダル投入口３４の前後両側に前壁面６９ａと後壁面７２ａとがあり、その前壁面６９ａが第１部材６５の前壁部６９に形成され、後壁面７２ａが第２部材６６の後壁部７２に形成されている。後壁面７２ａにはメダルの投入方向の突条７２ｂがその投入方向と略直角に交差する左右方向に複数設けられている。従って、投入されたメダルに対する後壁面７２ａの接触抵抗を少なくできる。なお、突条７２ｂは前壁面６９ａと後壁面７２ａとの少なくとも一方にあればよい。
【００４４】
前壁面６９ａ、後壁面７２ａは共に逆方向に傾斜する傾斜状であって、全体としてメダル投入口３４の入口３４ａに対して出口３４ｂがメダルの厚み方向に小さくなるテーパー状になっている。前壁面６９ａと後壁面７２ａは、後壁面７２ａが略鉛直状であるのに対して、前壁面６９ａ側の上端がメダル受け部７０側へと前側に傾斜する傾斜状となっている。これはメダル受け部７０上のメダルがメダル投入口３４の入口３４ａに入り易くし、また当接部７１に当接したメダルが略垂直に落下し易くするためである。また逆に前壁面６９ａを鉛直状にし、後壁面７２ａを傾斜状に構成してもよいし、前壁面６９ａと後壁面７２ａとの両方を傾斜状に構成してもよい。
【００４５】
メダル投入口３４の下端側、即ち出口３４ｂ側の一部の範囲ｃには、前壁面６９ａと後壁面７２ａとが略平行な平行部３４ｃ、又は鉛直線と略平行な平行部３４ｃが設けられている。これはメダルによる前壁面６９ａ、後壁面７２ａの摩耗を少なくするためである。なお、前壁面６９ａと後壁面７２ａとの一方に鉛直線と略平行な平行部３４ｃを設けてもよい。
【００４６】
メダル選別手段４３は、図６、図９〜図１３に示すように構成されている。即ち、メダル選別手段４３は、前面パネル２側に固定された支持板７５と、この支持板７５の後側に配置され且つ上端側の支軸７６により開閉自在に枢着された第１開閉板７７と、支持板７５と第１開閉板７７との間に設けられた流入通路７８及び選別通路７９と、支持板７５の後側に配置され且つ上端側の支軸７６により開閉自在に枢着された第２開閉板９０と、流入通路７８内に投入されたメダルを検出する投入センサ８０と、選別通路７９の出口７９ａよりも上手側に出退自在に配置され且つ選別通路７９のメダルを停止させるメダルストッパ８１と、選別通路７９の出口７９ａ側でメダルストッパ８１の上側に通路方向に配置された第１センサ８２及び第２センサ８３と、第２開閉板９０及びメダルストッパ８１を駆動する駆動手段８４とを備え、メダル投入口３４から投入されたメダルが適正か否かを選別して、適正メダルをメダル案内シュート５５へと通過させて、不正メダル又は返却メダルをメダル返却通路５４へと排出するようになっている。
【００４７】
支持板７５、開閉板７７，９０は選別通路７９のメダルをメダル返却通路５４へと排除し易くなるように上側が後側に傾斜した状態で配置され、その支持板７５が前面パネル２の裏側の支持枠８６等に固定されている。第１開閉板７７は選別通路７９上のメダルの下部側を保持・解除するためのものであって、支持板７５の後側の支軸７６により枢支され、選別通路７９上のメダルの下部側を保持するようにバネ８７により閉方向に付勢されている。第１開閉板７７には、不正メダルを排出するメダル排出口７７ａが選別通路７９に対応して設けられており、不正メダルをそのメダル排出口７７ａからメダル返却通路５４の受入れ口５４ａ側へと排除するようになっている。
【００４８】
第２開閉板９０は選別通路７９上のメダルの上部側を保持・解除するためのものであって、支持板７５の前側の支軸７６により枢支され、選別通路７９上のメダルの上部側の保持を解除するようにバネにより開方向に付勢されている。メダルストッパ８１は支軸７６廻りに第２開閉板９０と一体に回動可能に設けられている。
【００４９】
流入通路７８はメダル投入口３４から投入されて流入するメダルを受け入れて下方へと案内するもので、メダルを厚み方向に挟む支持板７５と第１開閉板７７との間に設けられており、投入口部材３５のメダル投入口３４の下端側に連通している。流入通路７８の途中にはメダルの通過を感知する感知部材８８が設けられ、この感知部材８８を介して投入センサ８０がメダルを検出するようになっている。感知部材８８は支軸８９を介して支持板７５に枢支され、バネ８９ａにより流入通路７８に突出する方向に付勢されている。
【００５０】
選別通路７９は流入通路７８から流下したメダルを出口７９ａ側へと案内するものであって、支持板７５と第１開閉板７７との間に、流入通路７８の下端側から略Ｌ字状に屈曲して傾斜状に設けられている。この選別通路７９の途中には、メダルが適正か否かを判別するための第１センサ８２、第２センサ８３等が設けられている。
【００５１】
選別通路７９はメダルを下側から受ける受けレール部７５ａと、受けレール部７５ａ上のメダルの下部側を支持板７５との間で保持する下保持レール部７７ｂと、受けレール部７５ａ上のメダルの上部側を支持板７５との間で保持する上保持レール部９０ａとを備えている。
【００５２】
受けレール部７５ａは支持板７５の後側に設けられ、下保持レール部７７ｂは受けレール部７５ａから上側に突出するように第１開閉板７７のメダル排出口７７ａの下縁側に設けられている。第１開閉板７７は通常はメダルの下部側を保持する閉状態にあり、返却ボタン４０を操作したときにバネ８７に抗して支軸７６廻りに後側に回動し、受けレール部７５ａ上のメダルを支持板７５と下保持レール部７７ｂとの間からメダル返却通路５４の受入れ口５４ａ側へと落下させるようになっている。
【００５３】
第１開閉板７７と返却ボタン４０との間には、支軸９４に枢支された押圧部材９３が介在され、返却ボタン４０を操作したときに押圧部材９３を介して第１開閉板７７が支軸７６廻りに開方向に回動し、受けレール部７５ａ上に詰まった不正メダル等をメダル返却通路５４の受入れ口５４ａ側へと落下させるようになっている。なお、第１開閉板７７には、選別通路７９から排出されたメダルをメダル返却通路５４の受入れ口５４ａへと案内する案内板９１が設けられている。
【００５４】
上保持レール部９０ａは第２開閉板９０の下端側に設けられている。第２開閉板９０、メダルストッパ８１は支軸７６廻りに回動自在であり、バネ９５により選別通路７９から後退する方向に付勢されている。第２開閉板９０が閉状態の場合には、その上保持レール部９０ａの上流端と支持板７５との間隔が適正なメダルの厚み分となっており、正規のメダルよりも厚い不正メダルが投入されたときに、この上保持レール部９０ａの上流端側で規制して通過を阻止するようになっている。なお、その場合には、投入センサ８０が不正メダルを検出してから所定時間の経過を以てメダルエラーと判断して、後述のようにメダル排出口７７ａからメダル返却通路５４へと排出することになる。
【００５５】
駆動手段８４は支持板７５の前側に固定された駆動ソレノイド９６を備え、この駆動ソレノイド９６が励磁したときに連動板９７を吸引して第２開閉板９０をバネ９５に抗して支軸７６廻りに閉方向に回動させるようになっている。そのため駆動手段８４は、稼動中は駆動ソレノイド９６の励磁により、第２開閉板９０を閉状態に、メダルストッパ８１を後退状態に夫々保持している。
【００５６】
駆動ソレノイド９６が消磁すれば、第２開閉板９０がバネ８７により戻って選別通路７９のメダルの上部側の保持を解除するため、メダルは後側に倒れてメダル排出口７７ａからメダル返却通路５４へと落下する。また第２開閉板９０の開放に連動してメダルストッパ８１が選別通路７９へと突出するため、選別通路７９のメダルがメダル案内シュート５５側に通過することはない。連動板９７は下端側を支点に前後方向に揺動自在に支持板７５に支持され、上端側が第２開閉板９０に当接可能になっている。連動板９７はバネ９８により第２開閉板９０から離れる方向に付勢されている。
【００５７】
第１センサ８２、第２センサ８３は選別通路７９を挟んで配置された投光部と受光部とを有する光学式であって、コの字状のセンサユニット９９に組み込まれている。センサユニット９９は、第１センサ８２、第２センサ８３が円板状のメダルの上部側を検出するように通路方向に所定の間隔をおいて支持板７５に装着されている。
【００５８】
第１センサ８２、第２センサ８３は選別通路７９を通過中のメダルを別々に検出可能であると共に同時に検出可能である。従って、第１センサ８２、第２センサ８３は適正なメダルが選別通路７９を通過するときには、第１センサ８２のみによるメダルの検出から、第１センサ８２及び第２センサ８３の両者によるメダルの検出、第２センサ８３のみによるメダルの検出へと順次検出状態が遷移する。
【００５９】
また第１センサ８２、第２センサ８３は、メダル投入口３４にメダルを連続投入した場合には、第２センサ８３が１枚目のメダルの検出を終了した後に、第１センサ８２が後続のメダルを検出するような間隔に設定されており、第１センサ８２と第２センサ８３とが連続投入されたメダルを同時に検出しないようになっている。従って、メダル投入口３４に複数枚のメダルを連続投入した場合にも、個々のメダルを確実に検出することが可能であり、連続投入が原因で適正なメダルを不正メダルと誤認して、そのメダルがメダル排出口７７ａからメダル返却通路５４へと排出されるようなことを防止できる。
【００６０】
メダル案内シュート５５はメダル選別手段４３により適正と判別されたメダルをメダルホッパー４へと案内するものであって、図１４、図１５に示すように、上側に開放する樋状部材により構成され、メダル選別手段４３の出口７９ａ側からメダルホッパー４上へと平面視円弧状に湾曲して配置されている。
【００６１】
メダル案内シュート５５の上流端側は、メダル選別手段４３の出口７９ａと連通するようにメダル選別手段４３の側面にネジ止めにより固定され、出口７９ａ側からメダルホッパー４上の放出部１００へと徐々に下り方向に傾斜しながら平面視円弧状に形成され、出口７９ａからのメダルをメダルホッパー４へと後方に案内するようになっている。
【００６２】
このメダル案内シュート５５は上側が開放する断面略Ｊ字状の樋状であって、メダルの直径よりも高い湾曲外側壁１０１と、この湾曲外側壁１０１よりも低い湾曲内側壁１０２とを底部１０３の両側に備えている。
【００６３】
このメダル案内シュート５５には、図１７（Ａ）（Ｂ）に示すように、糸状物Ｍａ付きの不正メダルＭがメダル投入口３４から投入された場合に、その不正メダルＭを湾曲内側壁１０２の途中から内側へと落下させる落下部１２４が設けられ、また不正メダルＭが落下部１２４又は終端の放出部１００から落下したときに、その不正メダルＭが再度メダル案内シュート５５内に戻らないように糸状物Ｍａを引っ掛ける第１引っ掛け部１０４と第２引っ掛け部１０６とが設けられている。
【００６４】
湾曲内側壁１０２は上手側に設けられた上手壁部１０２ａと、下手側に設けられた下手壁部１０２ｂとを段差状に備え、その段差部分に第１引っ掛け部１０４と、不正メダルＭが落下部１２４から落下するときに糸状物Ｍａを第１引っ掛け部１０４へと案内する案内部１２５とが設けられている。
【００６５】
下手壁部１０２ｂはメダルの直径の１／３未満の高さであり、この下手壁部１０２ｂの上側が不正メダルＭの落下部１２４となっている。落下部１２４は、糸状物Ｍａの操作等により、不正メダルＭが湾曲内側壁１０２側へと内側に倒れたときに、その不正メダルＭが乗り越えて下方へと落下するようになっている。
【００６６】
即ち、不正メダルＭは、図１７（Ｃ）に実線で示すように、通常、湾曲外側壁１０１側に倒れた状態でメダル案内シュート５５により案内される。しかし、糸状物Ｍａを出口７９ａ側へと上手側に引っ張るか、出口７９ａと不正メダルＭとの間で糸状物Ｍａが張り状態になれば、その糸状物Ｍａを介して不正メダルＭに外力が加わる。そして、不正メダルＭは、その外力により図１７（Ｃ）に二点鎖線で示すように下手壁部１０２ｂ側に起立して、その重心が下手壁部１０２ｂとの接触点よりも外側に越えるため、下手壁部１０２ｂ上の落下部１２４を経てメダル案内シュート５５から下方に落下する。
【００６７】
第１引っ掛け部１０４は、糸状物Ｍａが外れないようにスリット状に切り込んで形成されており、不正メダルＭがメダル案内シュート５５の落下部１２４から落下したときに、案内部１２５により下方へと案内される糸状物Ｍａを引っ掛けて、その不正メダルＭがメダル案内シュート５５に戻らないようにする。
【００６８】
なお、メダル選別手段４３の出口７９ａが支持板７５と同様に傾斜しているため、メダル案内シュート５５上の不正メダルＭとの間で糸状物Ｍａが弛み状態から張り状態になるときに、その糸状物Ｍａは出口７９ａの上端側に移動する。従って、案内部１２５は糸状物Ｍａが出口７９ａの上端側に移動した場合にも、その糸状物Ｍａを案内できる高さとする必要がある。なお、上手壁部１０２ａの下手側に案内部１２５を形成しているが、案内部１２５の高さを上手壁部１０２ａよりも高くしてもよい。
【００６９】
メダル案内シュート５５の放出部１００側には、メダルの通過を検出する通過センサ１０５と、メダル案内シュート５５を通過した不正メダルＭの糸状物Ｍａを引っ掛ける第２引っ掛け部１０６とが設けられている。通過センサ１０５は円板状のメダルの上部側を検出するように投光部と受光部とを備えた光学式であって、センサホルダ１０７に組み込まれている。センサホルダ１０７は投光部と受光部とがメダル案内シュート５５の両側に位置するように、メダル案内シュート５５の放出部１００側で湾曲外側壁１０１の取り付け部１０８にネジ等の固定具１０９により着脱自在に固定されている。
【００７０】
第２引っ掛け部１０６は糸状物Ｍａ付きの不正メダルＭがメダル案内シュート５５を通過したときにその糸状物Ｍａを引っ掛けて、不正メダルＭがメダル案内シュート５５に戻らないようにするためのものであり、メダル案内シュート５５の湾曲内側壁１０２の基部に配置されており、メダル案内シュート５５の終端から上手側に凹入する入口部１０６ａと、この入口部１０６ａの内端側から湾曲内側壁１０２の基部へとＶ又はＵ字状に屈曲する外れ止め部１０６ｂとを含むスリット状に形成されている。
【００７１】
スロットマシンの制御系は図５に示す通りである。図５において、主制御基板８はスロットマシンの遊技動作全般の制御を司るためのもので、ＣＰＵ、ＲＯＭ、ＲＡＭを含むマイクロコンピュータ等が設けられている。図柄表示手段３には、リールＬＥＤ中継基板１１０とリール中継基板１１１とが設けられ、また図柄表示手段３の近傍に外部集中端子板１１２が配置されている。
【００７２】
主制御基板８は、電源基板２０、演出インターフェース基板６０、遊技中継基板６３、外部集中端子板５２、確率設定基板９、払い出し接続基板１７、リール中継基板１１１に接続されている。
【００７３】
電源基板２０はＡＣ２４Ｖを直流電圧に整流し平滑した後、主制御基板８に必要な主制御電源電圧Ｖ１を、演出インターフェース基板６０に必要な演出制御電源電圧Ｖ２を生成する等、各部に必要な電源電圧を生成する。なお、電源基板２０には電源遮断状態を検出する電源監視回路（図示省略）、主制御基板８にバックアップ電源電圧を供給するバックアップ電源回路（図示省略）等が設けられている。
【００７４】
演出制御基板５９はスロットマシンの演出動作に関する制御を行うもので、主制御基板８から演出インターフェース基板６０を介して送られる制御コマンドを受け取り、その制御コマンドに応じて、各スピーカ５６による音演出、ＬＥＤランプ等によるランプ演出、液晶表示手段２５による図柄演出等の演出制御処理を行う。
【００７５】
また演出制御基板５９は、主制御基板８から内部抽選結果を特定する制御コマンド（遊技開始コマンド）を受け取り、その内部抽選結果に対応してアシストタイム当選状態とするか否かのＡＴ抽選を実行する。
【００７６】
なお、演出制御基板５９においてＡＴ抽選に当選した後の所定回数のゲーム中（ＡＴ中）は、小役当選状態において、各回転リール１０ａ〜１０ｃの遊技図柄を停止ライン上に整列できるように、各回転リール１０ａ〜１０ｃの停止順序を遊技者に報知する。また演出制御基板５９は、主制御基板８からのリール演出実行を示す制御コマンドを受け取ったときに、主制御基板８で実行するリール演出に対応する演出動作を開始する。演出制御基板５９は、この各演出動作を実行するために演出インターフェース基板６０を通して各部の制御対象との間で必要な通信を行う。
【００７７】
演出制御基板５９は、演出インターフェース基板６０及び液晶インターフェース基板６２を介して液晶制御基板６１に接続されている。液晶制御基板６１は液晶表示手段２５による画像表示の演出制御を行う。この液晶制御基板６１にはＶＤＰ、画像ＲＯＭ、ＶＲＡＭ、液晶制御ＣＰＵ、液晶制御ＲＯＭ、液晶制御ＲＡＭ等が搭載されている。
【００７８】
ＶＤＰは、画像展開処理や画像の描画等の映像出力処理全般の制御を行うものである。画像ＲＯＭには、ＶＤＰが画像展開処理を行うための画像データ（演出画像データ）が格納されている。ＶＲＡＭは、ＶＤＰが展開した画像データを一時的に記憶する画像メモリ領域である。液晶制御ＣＰＵは、ＶＤＰが表示制御を行うために必要な制御データを出力するものである。液晶制御ＲＯＭには、液晶制御ＣＰＵの表示制御動作手順を記述したプログラムや、その表示制御に必要な種々のデータが格納されている。液晶制御ＲＡＭは、ワークエリアやバッファメモリとして機能するものである。
【００７９】
このような液晶制御基板６１は、演出制御基板５９からの表示演出コマンドを受け付けて所定の表示駆動信号を生成し、その表示駆動信号を液晶インターフェース基板６２を介して液晶表示手段２５に送って画像表示を実行させるものである。
【００８０】
演出制御基板５９は、演出インターフェース基板６０を介してスピーカ中継基板１１３を制御し、スピーカ５６を用いた音演出を実行させるものである。また演出制御基板５９は、演出インターフェース基板６０を介してＬＥＤ基板１１４を制御し、更に演出インターフェース基板６０からリールＬＥＤ中継基板１１０を介してリールＬＥＤ基板３０ａ〜３０ｃを制御している。ＬＥＤ基板１１４には、例えば図１のＬＥＤ演出部５３ａ〜５３ｃを構成するＬＥＤが配置されている。
【００８１】
主制御基板８は、遊技中継基板６３を介して各基板１１５〜１１９に接続されている。遊技表示基板１１５には投入枚数表示ＬＥＤ４６、再遊技表示ＬＥＤ４７、回転準備表示ＬＥＤ４８、受付可能表示ＬＥＤ４９、払い出し数表示部５０、貯留数表示部５１等が設けられている。
【００８２】
始動スイッチ基板１１６には、スタートレバー３８の操作を検出する始動スイッチ（図示省略）が設けられている。停止スイッチ基板１１７には停止ボタン３９ａ〜３９ｃの操作を検出する停止スイッチ（図示省略）、各停止ボタン３９ａ〜３９ｃを発光させるための停止ボタンＬＥＤ（図示省略）等が設けられている。
【００８３】
貯留メダルスイッチ基板１１８には、マックスベットボタン３７の操作を検出する投入スイッチ（図示省略）、マックスベットボタン３７を発光させるためのマックスベットＬＥＤ（図示省略）が設けられている。精算スイッチ基板１１９にはクレジット清算ボタン４１の操作を検出する清算スイッチ（図示省略）が設けられている。なお、主制御基板８は、各基板からの検出信号を遊技中継基板６３を介して受信する。
【００８４】
主制御基板８には遊技中継基板６３を介してメダル選別手段４３等の投入センサ８０、第１センサ８２、第２センサ８３、通過センサ１０５が接続され、各センサ８０、８２，８３，１０５からの検出信号を受信する。なお、主制御基板８は各センサ８０、８２，８３，１０５からの検出信号により、メダルの投入時間や通過方向が所定の基準に合致した場合にのみ投入メダルとして受け付け、それ以外の場合には投入メダルエラーとして処理する。
【００８５】
主制御基板８には不正メダルＭの通過を阻止する駆動手段８４の駆動ソレノイド９６が遊技中継基板６３を介して接続され、その駆動ソレノイド９６の励磁・消磁を制御する。また主制御基板８は、リール中継基板１１１を経由して、各回転リール１０ａ〜１０ｃの回転駆動用のステッピングモータ１２０ａ〜１２０ｃと、各回転リール１０ａ〜１０ｃの原点位置検出用のインデックスセンサ１２１ａ〜１２１ｃとが接続されている。
【００８６】
主制御基板８は、各ステッピングモータ１２０ａ〜１２０ｃの駆動・停止によって、各回転リール１０ａ〜１０ｃの回転動作と目的位置での停止動作とを実行し、また各インデックスセンサ１２１ａ〜１２１ｃからの検出信号により各回転リール１０ａ〜１０ｃの原点位置での停止動作を実行する。
【００８７】
主制御基板８は、払い出し接続基板１７、払い出し基板１８を介して払い出しモータ１６に接続されると共に、払い出し接続基板１７を介して払い出しセンサ１９に接続されている。払い出し基板１８はメダル払い出し手段５の払い出し制御を行うためのもので、主制御基板８からの制御コマンドに基づいて所定数のメダルを払い出すように払い出しモータ１６を回転・停止を制御する。
【００８８】
払い出しセンサ１９はメダル払い出し手段５により払い出されたメダルを検出するものであり、メダルの払い出し枚数の不足、払い出し動作の動作不良等の払い出し異常があれば、この払い出しセンサ１９からの検出信号に基づいて主制御基板８が払い出し異常を判断する。
【００８９】
また主制御基板８は、確率設定基板９、外部集中端子板１１２に接続されている。外部集中端子板１１２はホールコンピュータに接続されており、主制御基板８から送られるメダルの投入枚数や払い出し枚数をホールコンピュータに出力する。確率設定基板９は設定キーによりオンオフ操作される設定キースイッチ１２２と、リセットボタンによりオンオフ操作されるリセットスイッチ１２３とが設けられている。
【００９０】
確率設定基板９は、係員が設定キーやリセットボタンを用いて設定した設定値ｖｄを出力する。設定値ｖｄは、スロットマシンで実行される抽選処理の当選確率、換言すれば遊技者に有利な遊技状態に当選させるか否かの確率の段階を表す値であり、遊技ホールの営業戦略に基づいて適宜に設定可能である。
【００９１】
例えば当選確率の段階が６段階の場合には、設定値ｖｄとしては設定「１」〜設定「６」までの６段階の内、任意の段階を表す値を設定キーの操作等により設定可能である。この場合、設定値ｖｄ自体の値としては、「０」〜「５」が割り当てられる。また設定「１」〜設定「６」の順で当選確率が高くなっている。
【００９２】
ホールの係員等は、所定の操作により設定値ｖｄの変更を行うことができる。この設定値ｖｄの変更を行うに当たっては、先ず前面パネル２を開放し、設定キーを右に回して設定キースイッチ１２２をオンにしたままで電源をオンにする。すると確率設定基板９の表示器に現段階の設定値（「１」〜「６」の何れか）が表示されるので、その状態でリセットボタンを押してリセットスイッチ１２３がオンする毎に、その表示値に＋１が加算される。なお、表示値は「６」の次に「１」に戻る。
【００９３】
リセットボタンによる設定値の選択後、スタートレバー３８を操作することにより、設定値ｖｄがその設定値に確定される。その後、設定キーを左に回して設定キースイッチ１２２をオフすることにより、設定値ｖｄの変更が終了する。
【００９４】
メダル投入口３４からメダルを投入する際には、例えば複数枚のメダルを厚み方向に重ね合わせた状態でメダル受け部７０上に前後方向に載せた後、その複数枚のメダルをメダル受け部７０の傾斜に沿って後方側へと軽く押す。すると複数枚のメダルの内、後端側のメダルがメダル投入口３４の入口３４ａ側に対応する毎に、各メダルが自重により下方に落下し、メダル投入口３４の前壁面６９ａ、後壁面７２ａに沿って流下する。これによってメダル受け部７０上のメダルを順次メダル投入口３４へと投入することができる。
【００９５】
このメダル投入口３４からのメダルの投入に当たって、メダル投入口３４はその入口３４ａ側を広くしているので、各メダルをメダル投入口３４へと容易に投入することができる。しかも入口３４ａは適正なメダル１枚の厚みよりも大でメダル２枚の厚みよりも小であるため、メダルを１枚ずつ確実に投入することができる。
【００９６】
またメダル投入口３４の出口３４ｂ側を入口３４ａよりも狭くして、適正なメダル１枚の厚みよりも大でメダル１枚の厚みに近い寸法にしているので、適正なメダルよりも厚みのある不正メダルＭ又は不正部材の投入を極力防止することができる。そのため出口３４ｂよりも厚い不正メダルＭ又は不正部材の場合には、入口３４ａを通過しても、メダル投入口３４の途中で詰まるため、その後の不正なゲームの継続を防止することができる。
【００９７】
また図１７に示すように、適正なメダルに近い寸法の不正メダルＭに糸状物Ｍａを連結して、その不正メダルＭをメダル投入口３４から投入するような不正行為があっても、その不正メダルＭに対する糸状物Ｍａの取り付け部分の嵩張り等により、不正メダルＭのメダル選別手段４３側への通過を極力防止することができる。
【００９８】
スロットマシンの電源の投入中は、メダル選別手段４３の駆動ソレノイド９６が励磁して連動板９７を吸引するので、図１３に実線で示すように第２開閉板９０がバネ９５に抗して閉状態にあり、その上保持レール部９０ａが選別通路７９のメダルを保持可能な状態にある。
【００９９】
そこで、メダル投入口３４からメダルを投入すると、そのメダルは図１６（Ａ）に示すようにメダル選別手段４３の流入通路７８に入り、感知部材８８を介して投入センサ８０により検出された後、選別通路７９の受けレール部７５ａ、下保持レール部７７ｂ、上保持レール部９０ａにより保持されながら、その受けレール部７５ａの傾斜に沿ってメダル案内シュート５５へと案内されて行く。
【０１００】
メダルの上部が上保持レール部９０ａに届かない小径の不正メダルの場合には、上保持レール部９０ａによる上部側の保持がないので、後方に倒れて第１開閉板７７のメダル排出口７７ａから下方に落下する。これによって小径の不正メダルを排除することができる。なお、メダル排出口７７ａから落下したメダルは、メダル返却通路５４を経てメダル受け皿２８へと返却される。
【０１０１】
正規のメダルよりも厚い不正メダルは、上保持レール部９０ａの上流端側で規制して通過を阻止する。そして、投入センサ８０のメダルの検出から所定の判別時間が経過すれば、メダルエラーの判断により駆動ソレノイド９６が消磁して、図１６（Ｂ）に示すように第２開閉板９０が開方向に回動しメダルストッパ８１が突出する。これによって不正メダルが第１開閉板７７のメダル排出口７７ａからメダル返却通路５４へと落下することになり、不正メダルのメダル案内シュート５５への通過を阻止することができる。
【０１０２】
またメダル投入口３４から投入されたメダルは投入センサ８０の出力をカウントしており、所定の最大枚数までクレジット可能であるが、最大類数を超えた場合には、駆動ソレノイド９６が消磁して第２開閉板９０を開放することにより、メダル選別手段４３からメダル返却通路５４へと返却する。
【０１０３】
メダル選別手段４３を通過したメダルはメダル案内シュート５５を経てメダルホッパー４へと案内され、メダルホッパー４に貯留されて行く。このときメダルはメダル案内シュート５５の湾曲外側壁１０１に倒れた状態で底部１０３上を転がりながら案内される。従って、湾曲内側壁１０２の上手壁部１０２ａがメダルの半径よりも低く、下手壁部１０２ｂが上手壁部１０２ａよりも更に低くなっているが、この湾曲内側壁１０２の高さに関係なくメダルを案内することができる。メダル案内シュート５５を通過したメダルは通過センサ１０５により検出してカウントする。
【０１０４】
不正行為は投入センサ８０、第１センサ８２、第２センサ８３、通過センサ１０５等において、各センサ８０，８２，８３，１０５相互間でのメダルの移動時間の長短、各センサ８０，８２，８３，１０５のメダルの検出順序の違い、通過センサ１０５の検出タイミング等により監視する。なお、不正行為があった場合には、適宜手段により警報し、またゲームを中断するようにしてもよい。
【０１０５】
しかし、糸状物Ｍａを付けた不正メダルＭをメダル投入口３４から投入して、その糸状物Ｍａを適宜タイミングで引っ張ったり弛めたりしながら、各センサ８０，８２，８３，１０５が適正なタイミングで順次不正メダルＭを検出するように操作して、不正にクレジット加算を行う不正行為が懸念されている。
【０１０６】
このような不正行為に対しては、不正メダルＭをメダル案内シュート５５から落下又は通過させて、その糸状物Ｍａを引っ掛け部１０４，１０６に引っ掛けることにより、図１７（Ａ）（Ｂ）に示すように、その後の不正行為の継続を防止することができる。
【０１０７】
例えば、メダル案内シュート５５の湾曲内側壁１０２の下手壁部１０２ｂまで不正メダルＭが到達した後に、糸状物Ｍａを引っ張れば、図１７（Ａ）に示すように、出口７９ａと不正メダルＭとの間で糸状物Ｍａが張り状態になる。そのため不正メダルＭに対して湾曲内側壁１０２の下手壁部１０２ｂ側へと倒れる方向の外力が加わり、不正メダルＭが下手壁部１０２ｂ上の落下部１２４を越えてメダル案内シュート５５から落下する。
【０１０８】
そして、図１７（Ｂ）に示すように、不正メダルＭが湾曲内側壁１０２の落下部１２４から落下すれば、糸状物Ｍａが第１引っ掛け部１０４に引っ掛かるため、その糸状物Ｍａを引っ張っても不正メダルＭがメダル案内シュート５５上に戻ることはない。
【０１０９】
また不正メダルＭがメダル案内シュート５５の終端を通過した後に糸状物Ｍａを引っ張った場合も、同様に第２引っ掛け部１０６に糸状物Ｍａが引っ掛かるため、不正メダルＭがメダル案内シュート５５上に戻ることはない。
【０１１０】
従って、不正メダルＭがメダル案内シュート５５から落下した後に、その糸状物Ｍａを引っ掛け部１０４，１０６で引っ掛けることにより、不正メダルＭがメダル案内シュート５５上に戻ることはないので、それ以上の不正行為の継続を防止することができる。
【０１１１】
メダル投入処理は、図１８及び図１９に示すフローチャートに従って行う。このメダル投入処理は、メダル投入口３４からのメダルの投入、マックスベットボタン３７の操作による投入枚数に応じてクレジット値を更新する処理であり、主制御基板８により行われる。
【０１１２】
図１８において、主制御基板８は先ず遷移及び滞留チェック処理を実行する（ステップＳ１１０１）。遷移及び滞留チェック処理は、メダル投入に係る不正検知のための処理であり、メダル選別手段４３の投入センサ８０、第１センサ８２、第２センサ８３、通過センサ１０５に対するメダルの通過態様が予め定められた異常通過態様に該当するか否かを判定し、異常があれば投入エラー監視フラグをセットする処理である。
【０１１３】
メダルエラー検知は図１８のタイミングチャートに従って行う。図２０（Ａ）は、メダル投入口３４から１枚のメダルが正常に投入された場合の投入センサ８０、第１センサ８２、第２センサ８３、通過センサ１０５の検出信号の遷移を示している。
【０１１４】
メダルが正常に投入された場合、投入センサ８０、第１センサ８２、第２センサ８３、通過センサ１０５はその順番でメダルを検出して次々にオンする。このとき投入センサ８０、第１センサ８２、第２センサ８３、通過センサ１０５の配置間隔は、投入センサ８０がオンからオフに転じた後に第１センサ８２がオンとなるように設定されている。また第１センサ８２と第２センサ８３との配置間隔は、第１センサ８２のオン中に第２センサ８３がオンとなり、第２センサ８３のオン中に第１センサ８２がオフするように設定されている。更に第２センサ８３と通過センサ１０５との配置間隔は、第２センサ８３のオフタイミングの後に通過センサ１０５がオンとなるように設定されている。
【０１１５】
ここで、図２０（Ａ）のように投入センサ８０がオン時点を時点ｔ１、オフ時点を時点ｔ２、第１センサ８２のオン時点を時点ｔ３、第２センサ８３のオン時点を時点ｔ４、第１センサ８２のオフ時点を時点ｔ５、第２センサ８３のオフ時点を時点ｔ６、通過センサ１０５のオン時点を時点ｔ７、オフ時点を時点ｔ８とする。
【０１１６】
投入メダルのエラー検知は、第１センサ８２、第２センサ８３をメダルが通過する順番が適正であるか否かという観点と、各センサの検出信号のエッジ間の間隔が夫々所定の時間内であるか否かという観点とに基づいて行う。
【０１１７】
図２０（Ｂ）は、メダルが正常に投入された場合における第１センサ８２、第２センサ８３のオン／オフ状態の変化の順番を示す。正常なメダルを投入した場合には、「第１センサ８２＝オフ、第２センサ８３＝オフ」の順番「０」の状態から、「第１センサ８２＝オン、第２センサ８３＝オフ」の順番「１」の状態、「第１センサ８２＝オン、第２センサ８３＝オン」の順番「２」の状態、「第１センサ８２＝オフ、第２センサ８３＝オン」の順番「３」の状態を経て第１センサ８２、第２センサ８３のオン／オフ状態が遷移する。従って、第１センサ８２、第２センサ８３のオン／オフ状態の変化の順番が、このような「０」→「１」→「２」→「３」の順番に合致しない場合には、投入メダルエラーとして扱う。
【０１１８】
但し、投入されたメダルが図１６（Ｂ）に示すようにメダル返却通路５４側へと排出される場合には、投入されたメダルが第１センサ８２で検出された後に、メダル返却通路５４側へと落下する。従って、この場合、第１センサ８２、第２センサ８３がオン／オフ状態に変化する順番が合致せず、投入メダルエラーとして検知されることになる。
【０１１９】
即ち、この場合には第１センサ８２、第２センサ８３のオン／オフ状態の変化の順番は、図２１に示すように「第１センサ８２、第２センサ８３共にオフ」から、「第１センサ８２＝オン、第２センサ８３＝オフ」、「第１センサ８２、第２センサ８３が共にオフ」の順番で変化するため、投入メダルエラーとなってしまう。
【０１２０】
そこで、第１センサ８２、第２センサ８３のオン／オフ状態が「０」→「１」→「０」の順番で変化する場合には、例外的に投入メダルエラーとして検知しないようにしている。
【０１２１】
また投入センサ８０、第１センサ８２、第２センサ８３、通過センサ１０５の検出信号のエッジ間の時間に基づいて投入メダルエラーを検知するためには、図２０（Ａ）に示すように、第１監視タイマ、第２監視タイマ、第３監視タイマ、第４監視タイマ、メダル通過第１カウンタ、メダル通過第２カウンタ及び通過センサオンタイマを用いる。
【０１２２】
これら各タイマやカウンタを用いた投入メダルエラーの検知は、図２０（Ａ）に示す各時点ｔに照らすと、以下のようになる。なお、各タイマは、タイマ割込みごとに減算（−１）される。
【０１２３】
［時点ｔ１］
・第１監視タイマに所定値（例えば４０２ｍｓ相当のタイマ割込み数）をセット。
第１監視タイマが０になったら投入メダルエラーとする（投入センサ８０の連続オン  時間が過大であるためエラーとする）。
【０１２４】
［時点ｔ２］
・メダル通過第１カウンタを０にクリアする。。
・第２監視タイマに所定値（例えば２５０ｍｓ相当のタイマ割込み数）をセット。
第２監視タイマが０になったら投入メダルエラーとする（投入センサ８０の通過から  第１センサ８２がオンするまでの時間が過大であるためエラーとする）。
【０１２５】
［時点ｔ３〜ｔ５の各時点］
・第３監視タイマに所定値（例えば１０１ｍｓ相当のタイマ割込み数）をセット。
第３監視タイマが０になったら投入メダルエラーとする（第１センサ８２又は第２セ  ンサ８３の連続オン時間が過大であるためエラーとする）。
【０１２６】
［時点ｔ４〜ｔ６の各時点］
・第１センサ８２と第２センサ８３との検出信号の入力順序が適正に遷移していない場  合はエラー（メダル逆行）。
・第１センサ８２と第２センサ８３の両者又は何れか一方について、前回のセンサ遷移  から今回のセンサ遷移までの時間が２．９８ｍｓ（２割込み）未満であればエラー（前  回と今回のセンサ検出の間隔が短すぎる）。
【０１２７】
［時点ｔ６］
・第４監視タイマに所定値（例えば１５０ｍｓ相当のタイマ割込み数）をセット。
第４監視タイマが０となったら投入メダルエラーとする（第２センサ８３の通過から  通過センサ１０５の通過までの時間が過大であるためエラーとする）。
・メダル通過第１カウンタ、メダル通過第２カウンタをそれぞれ＋１する。
メダル通過第１カウンタが「５」となったら投入メダルエラーとする（投入センサ８  ０、第１センサ８２及び第２センサ８３の通過メダル枚数と、通過センサ１０５の通過  メダル枚数との差が５枚に達したらエラー）。この５枚は、メダルを連続投入したとき  に、メダル案内シュート５５上で第２センサ８３と通過センサ１０５との間に直列状に  並び得るメダルの最大数が４枚であることに起因する。
これら通過メダル枚数に基づくエラー検知は、メダルが連続投入された場合を想定し  ている。なお、投入センサ８０及び通過センサ１０５はメダルが連続投入された場合に  は検出信号が連続オンするのに対し、第１センサ８２、第２センサ８３はメダルが連続  投入されても各メダルを個別に検出できるように構成されている。
【０１２８】
［時点ｔ７］
・通過センサ１０５がオンである間は通過センサオンタイマを＋１する。
通過センサオンタイマが所定値（例えば１０１ｍｓ相当のタイマ割込み数）に達した  ら投入メダルエラーとする（通過センサ１０５の連続オン時間が過大であるためエラー  とする）。
【０１２９】
［時点ｔ８］
・メダル通過第２カウンタが０でなければ０にクリアする。
・メダル通過第２カウンタが０で且つ監視タイマ４が０であれば投入メダルエラーとす  る（メダルが第１センサ８２, 第２センサ８３を通過することなく通過センサ１０５の  みオンとなる異常）。
【０１３０】
図２２を参照して遷移及び滞留チェック処理（Ｓ１１０１）を説明する。図２０において、主制御基板８のＣＰＵは、先ずステップＳ１２０１で全レジスタの値をＲＡＭにおけるレジスタ退避領域に退避させる処理を実行し、ステップＳ１２０２で投入エラー監視フラグをクリアする処理を実行する。この遷移及び滞留チェック処理は、不正行為への対策を講じるための処理であり、この遷移及び滞留チェック処理を実現するためのプログラム及びデータは、第２のメモリ領域に格納されている。
【０１３１】
主制御基板８のＣＰＵがアクセス可能なメモリには、第１のメモリ領域と第２のメモリ領域とがある。第１のメモリ領域は、ＣＰＵが遊技動作（ゲーム）を制御するに当たって用いる所定のプログラム及びデータを配置するためのものである。また第２のメモリ領域は、第１のメモリ領域外に配置することが許可されたプログラム及びデータを配置するためのものであり、例えば、メダルの不正な投入やメダル払い出し等の不正行為を検知するためのプログラム及びデータ、設定値ｖｄ、乱数の異常を検知するためのプログラム及びデータ等が配置されている。
【０１３２】
第１のメモリ領域、第２のメモリ領域には、プログラムを格納する制御領域、プログラムにより使用するデータを格納するデータ領域、及びプログラムによる処理の過程で生成される各種のフラグやタイマ値等を書き替え可能に格納するＲ／Ｗ領域が設定されている。
【０１３３】
次にステップＳ１２０２で投入エラー監視フラグをクリアする。この投入エラー監視フラグは、遷移及び滞留チェック処理により更新されるべきフラグ（データ）であるため、第２のメモリ領域に記憶されている。なお第１監視タイマ、第２監視タイマ、第３監視タイマ、第４監視タイマ、メダル通過第１カウンタ、メダル通過第２カウンタ及び通過センサオンタイマも、遷移及び滞留チェック処理で更新されるべきデータであるため、第２のメモリ領域に記憶される。
【０１３４】
投入エラー監視フラグをクリアすると、ＣＰＵはステップＳ１２０３で各センサの時間監視処理を実行し、ステップＳ１２０４で監視処理の結果に基づきエラーであるか否かを判定する。
【０１３５】
即ち、ステップＳ１２０３で第１監視タイマ、第２監視タイマ、第３監視タイマ、第４監視タイマ、及び通過センサオンタイマの夫々の値について、所定値に達したか否かを判定する。そして、ステップＳ１２０４でその監視処理の結果に基づいてエラーであるか否かを判定する。エラーと判定した場合、ＣＰＵはステップＳ１２０５で投入エラー監視フラグをセットし、ステップＳ１２０６に処理を進める。またエラーでないと判定した場合、ＣＰＵはステップＳ１２０５をパスしてステップＳ１２０６に処理を進める。
【０１３６】
ステップＳ１２０６〜Ｓ１２０９では、第１センサ８２、第２センサ８３のオン／オフ状態変化の順番に基づいて投入メダルエラー検知のための処理が行われる。ＣＰＵはステップＳ１２０６で第１センサ８２、第２センサ８３から入力される検出信号に変化があったか否かを判定する。即ち、第１センサ８２、第２センサ８３の何れかの検出信号にオンエッジ又はオフエッジが検出されたか否かを判定する。第１センサ８２、第２センサ８３の検出信号に変化がなければ、ＣＰＵはステップＳ１２１０に処理を進める。
【０１３７】
一方、第１センサ８２、第２センサ８３の検出信号に変化があれば、ＣＰＵはステップＳ１２０７で変化の順番が正常であるか否かを判定する。具体的には、これまでの第１センサ８２、第２センサ８３のオン／オフ状態変化の順番が「０」→「１」→「２」→「３」の順番に合致しているか否かを判定する。変化の順番が正常であれば、ＣＰＵはステップＳ１２０９のフラグセット処理をパスしてステップＳ１２１０に処理を進める。
【０１３８】
一方、変化の順番が正常でなければ、ＣＰＵはステップＳ１２０８で変化の順番が「１」→「０」（「０」→「１」→「０」）が例外に該当するか否かを判定する。変化の順番が「１」→「０」に該当すれば、ＣＰＵはステップＳ１２０９のフラグセット処理をパスしてステップＳ１２１０に処理を進める。これにより、メダルの排出が誤って投入メダルエラーとして検知されることがなく、投入メダルエラー検知の適正性を担保できる。変化の順番が「１」→「０」に該当すれば、ＣＰＵはステップＳ１２０９で投入エラー監視フラグをセットし、ステップＳ１２１０に処理を進める。
【０１３９】
なお、不正メダルＭが図１６（Ｂ）に示すようにメダルストッパ８１に当接して流下が阻止された状態のときには、第１センサ８２と第２センサ８３とが共にメダルを検出しないように構成してもよい。その場合には、例外の順番に該当するか否かを判定することなくステップＳ１２０９に進み、投入エラー監視フラグをセットする。また第１センサ８２、第２センサ８３の両者又は何れか一方について、前回のセンサ遷移から今回のセンサ遷移までの時間が２．９８ｍｓ（２割込み）未満であれば、前回と今回のセンサ検出の間隔が短かすぎるとして投入エラー監視フラグをセットするように制御してもよい。
【０１４０】
ＣＰＵに１．４９ｍｓ（ミリ秒）の時間間隔でタイマ割込みがかけられている。そのタイマ割込みによって実行されるタイマ割込み処理中の１つのルーチンのメダル投入処理（図１８）が含まれている。上記２．９８ｍｓ（２割込み）未満としたのは、第１センサ８２又は第２センサ８３がメダルを検出していないにも拘わらず、ノイズの影響を受けて第１センサ８２又は第２センサ８３の信号を誤検出する不都合を回避し、また１．４９ｍｓ（１割込み）としたのは、そのノイズによる誤検出であるにも拘わらず、第１センサ８２又は第２センサ８３がメダルを検出したと誤判定してしまう不都合を回避するためである。
【０１４１】
ＣＰＵはステップＳ１２１０〜Ｓ１２１８でメダル通過第１カウンタ、メダル通過第２カウンタの値に基づくメダルエラー検知のための処理を行う。先ずステップＳ１２１０では、投入センサ８０の検出信号がオフエッジであるか否かを判定し、オフエッジであれば、ステップＳ１２１１でメダル通過第１カウンタの値を０にクリアしてステップＳ１２１２に進み、オフエッジでなければ、ステップＳ１２１１をパスしてステップＳ１２１２に進む。
【０１４２】
ステップＳ１２１２では、メダルが第１センサ８２、第２センサ８３を正常に通過したか否かを判定する。具体的には、先のステップＳ１２０３で監視される時間の要素、及びステップＳ１２０７で監視される順番の要素の双方の面でメダルが第１センサ８２、第２センサ８３を正常に通過したか否かを判定する。なお、メダルが第２センサ８３を通過したタイミングは、この第２センサ８３の検出信号がオフに転じたときであるため、ステップＳ１２１２で「正常に通過」と判定されるのは、第２センサ８３の検出信号がオフに転じた（オフエッジが検知された）タイミングで実行されたタイマ割込み処理においてのみとなる。
【０１４３】
ステップＳ１２１２において、メダルが第１センサ８２、第２センサ８３を正常に通過したと判定した場合には、ステップＳ１２１３でメダル通過第１カウンタ、メダル通過第２カウンタの夫々の値をインクリメント（＋１）してステップＳ１２１４に進む。メダルが第１センサ８２、第２センサ８３を正常に通過していないと判定した場合には、ステップＳ１２１３をパスしてステップＳ１２１４に進む。
【０１４４】
ステップＳ１２１４では、メダル通過第１カウンタの値が５以上であるか否かを判定し、５以上でなければ（４以下であれば）ステップＳ１２１５でメダル通過第２カウンタの値が５以上であるか否かを判定する。
【０１４５】
ステップＳ１２１４、Ｓ１２１５において、メダル通過第１カウンタの値、メダル通過第２カウンタの値が５以上であれば、ＣＰＵはステップＳ１２１６で投入エラー監視フラグをセットし、ステップＳ１２１７に処理を進める。メダル通過第２カウンタの値が５以上でなければ、ステップＳ１２１６をパスしてステップＳ１２１７に処理を進める。
【０１４６】
ステップＳ１２１７では、通過センサ１０５の検出信号がオフエッジであるか否かを判定する。そして、通過センサ１０５の検出信号がオフエッジであれば、ステップＳ１２２０でメダル通過第２カウンタが０であるか否かを判定し、０でない場合にはステップＳ１２１８でメダル通過第２カウンタの値を０にクリアして、ステップＳ１２１９で全レジスタの復帰処理を実行した上で遷移及び滞留チェック処理を終える。また通過センサ１０５の検出信号がオフエッジでなければ、ステップＳ１２１８をパスしてステップＳ１２１９で全レジスタの復帰処理を実行し、遷移及び滞留チェック処理を終える。
【０１４７】
ステップＳ１２２０でメダル通過第２カウンタが０と判定された場合には、ＣＰＵはＳ１２２１で第４監視タイマが０であるか否かを判定し、０でなければＳ１２１９に進むが、０の場合にはＳ１２２２により投入エラー監視フラグをセットした後Ｓ１２１９へ進む。これにより、メダルが第１センサ８２、第２センサ８３を通過することなく通過センサ１０５のみを通過してオンとなる異常を検出できる。
【０１４８】
図１８、図１９のメダル投入処理（ステップＳ８１３）に当たっては、ステップＳ１１０１の遷移及び滞留チェック処理を終えると、ＣＰＵはステップＳ１１０２で投入エラー監視フラグの状態（オン／オフ状態）をチェックする。投入エラー監視フラグがオンであれば、ステップＳ１１２３で投入エラーフラグをセットする（オンとする）。そして、投入メダルエラーの場合には、ステップＳ１１２４で駆動手段８４の駆動ソレノイド９６、受付可能表示ＬＥＤ４９を夫々オフとする処理を実行し、メダル投入処理を終える。
【０１４９】
メダル投入処理では、遷移及び滞留チェック処理（第２のメモリ領域におけるプログラム）でセットされた投入エラー監視フラグに基づき、新たに投入エラーフラグをセットする。このメダル投入処理における「遷移及び滞留チェック処理」を除く処理は、不正行為への対策を講じるためのプログラムには該当しない。従って、これらの処理を実現するためのプログラムは第１のメモリ領域に格納されている。
【０１５０】
第１のメモリ領域におけるプログラムは、第１のメモリ領域におけるＲ／Ｗ領域のデータを参照及び更新することができるが、第２のメモリ領域のＲ／Ｗ領域に記憶されたデータについては参照のみが可能で更新は不許可とされている。即ち、メダル投入処理（遷移及び滞留チェック処理は除く）では、第２のメモリ領域のＲ／Ｗ領域に記憶された投入エラー監視フラグの参照のみは可能であるが、更新することまでは許可されない。
【０１５１】
そこで、第２のメモリ領域のＲ／Ｗ領域に記憶された投入エラー監視フラグをステップＳ１１０２で参照した結果に基づき、ステップＳ１１２３で投入エラーフラグを第１のメモリ領域のＲ／Ｗ領域においてセットするようにしている。即ち、第１のメモリ領域のプログラムが自ら更新可能なフラグとして改めてセットしている。
【０１５２】
投入エラーフラグは、例えばエラー表示制御を行うか否かの判定やエラー解除判定処理等、第１のメモリ領域のプログラムによりエラー中であるか否かの判定において参照される。これからも判るように、不正検知に係るエラーフラグは、第１のメモリ領域のプログラムが更新可能であることが必要であり、ステップＳ１１０２、Ｓ１１２３の処理は、その第１のメモリ領域のプログラムが更新可能であることから実現している。
【０１５３】
領域内用のエラーフラグ（投入エラーフラグ）は、領域内プログラムによってセットされた（ステップＳ１１２３）後は、同じく領域内プログラムによるエラー解除処理においてエラー解除の検知に応じてクリアされるように構成されている。しかし、領域外用のエラー監視フラグ（投入エラー監視フラグ）は、エラー解除の検知に応じてクリアする処理は存在しない。そのため領域外プログラムによる遷移及び滞留チェック処理（図２０）では、処理の開始にあたってエラー監視フラグを毎回クリアするようにしている（ステップＳ１２０２）。これによりエラー検知の適正性を確保することができる。
【０１５４】
なお、不正対策に係るエラーフラグの例として投入エラーに係るエラーフラグを例示したが、他のエラーフラグ、例えば主基板エラー、ＲＷＭエラー、投入メダルエラー、メダル払い出しメダル無しエラー、メダル払い出しセンサエラー、不当入賞エラー、オーバーフローエラー、ドア開放エラーに係るエラーフラグに関しても、同様に第２のメモリ領域のプログラムがエラー検知に応じて第２のメモリ領域のＲ／Ｗ領域にエラー監視フラグをセットし、第１のメモリ領域のプログラムが該エラー監視フラグを参照した結果に基づき対応するエラーフラグを第１のメモリ領域のＲ／Ｗ領域にセットすることもできる。
【０１５５】
図１８のステップＳ１１０２で投入エラー監視フラグがオフであった場合には、ステップＳ１１０３以降の処理により、正常なメダル投入に応じた投入枚数（賭数）やクレジットの値の更新、マックスベットボタン３７の操作に応じた投入枚数（賭数）やクレジットの値の更新等を行う。この際、マックスベットボタン３７の操作に応じた投入処理（マックスベット処理）では、ベットカウンタとベットタイマとが用いられる。
【０１５６】
このマックスベット処理では、マックスベットボタン３７のオンによりベットタイマに所定値（本例では５０ｍｓ相当のタイマ割込み数）がセットされる。そして、ベットタイマの値が消費されて「０」になると、賭数を設定するための投入処理（＋１）が実行される。ベットカウンタはベットタイマ＝０となって投入処理を実行する回数を規定するためのものである。即ち、マックスベットボタン３７がオンすると、クレジット値の許容範囲内において、ベットカウンタの値がセットされる。例えば、クレジットの値が「３」以上であれば「３」がセットされ、クレジットの値が「２」以下である場合にはクレジットの値と同値がセットされる。
【０１５７】
マックスベットボタン３７は投入枚数が「１」以上の状況においてもオン操作可能であるが、その場合には、クレジット値の許容範囲分を越える投入処理を行うべきでない（賭数の上限＝「３」であるため）。そのためメダル投入処理では、マックスベット処理による投入枚数が賭数の上限値を超えないようにしている。
【０１５８】
図１８において、ＣＰＵはステップＳ１１０３でメダル投入中であるか否か、即ち、メダルが第１センサ８２又は第２センサ８３の何れかを通過中であるか否かを判定する。そして、メダル投入中であれば、ステップＳ１１１１に処理を進める。
【０１５９】
メダル投入中でなければ、ＣＰＵはステップＳ１１０４でベットカウンタの値が「０」か否かを判定する。このベットカウンタの値は、後述のステップＳ１１２８でマックスベットボタン３７のオンエッジを検出することにより、ステップＳ１１２９でセットされる。従って、ステップＳ１１０４でベットカウンタの値が「０」でないと判断した場合は、マックスベット処理中であり、ベットカウンタの値が「０」と判断した場合は、マックスベット処理中ではないことを意味する。
【０１６０】
ステップＳ１１０４において、ベットカウンタの値が「０」と判断した場合には、マックスベット処理中でないため、ＣＰＵはステップＳ１１１１に処理を進める。一方、ベットカウンタの値が「０」でないと判断した場合には、マックスベット処理中であるため、ステップＳ１１０５でベットタイマの値をデクリメント（−１）し、ステップＳ１１０６でベットタイマの値が「０」であるか否かを判定する。これはベットタイマ＝「０」に応じて投入処理（＋１）を実行すべきか否かを判定していることに相当する。
【０１６１】
ベットタイマの値が「０」であれば、ＣＰＵはステップＳ１１０７に処理を進めて、投入処理に係る処理を実行し、ベットカウンタの値をデクリメントする（つまり投入回数を１消費する）。
【０１６２】
そして、ＣＰＵは続くステップＳ１１０８で投入枚数が「３」であるか否かを判定する。これは、マックスベットボタン３７による投入処理が不要であるか否かを判定していることに相当する。即ち、メダル投入口３４から投入されたメダルがあれば、マックスベットボタン３７による投入処理回数が「３」未満の状態で投入枚数＝「３」に達することがあるため、マックスベットボタン３７による投入処理が不要であるか否かを判定する。この判定処理があるため、ベットカウンタの値としてクレジットの値のみに基づいた値（投入枚数は考慮しない値）を設定することが可能でる。
【０１６３】
投入枚数が「３」であれば、ＣＰＵはステップＳ１１１１に処理を進め、ステップＳ１１１０でのマックスベットによる投入処理は実行しない。投入枚数が「３」でなければ、ＣＰＵはステップＳ１１０９でベットタイマをセットし、続くステップＳ１１１０でクレジットの値のデクリメント（−１）、投入枚数のインクリメント、投入音コマンドのセットを行い、ステップＳ１１１１に処理を進める。なお、投入音コマンドは、演出制御基板５９側にメダルの投入時に出力すべき効果音の出力指示を行うためのコマンドである。
【０１６４】
ＣＰＵのステップＳ１１１１〜Ｓ１１１８の処理は、各種の条件判定を行った結果に基づき駆動ソレノイド９６と受付可能表示ＬＥＤ４９のオン／オフを制御するための処理である。ステップＳ１１１１では、エラー中か否か（各種エラーの少なくとも１つが生じているか否か）を判定し、エラー中であれば、ステップＳ１１１８で駆動ソレノイド９６及び受付可能表示ＬＥＤ４９をオフとするための処理（ＲＡＭ８２ｃのワークにおける対応値を更新する処理）を実行する。
【０１６５】
即ち、エラー中は、駆動ソレノイド９６のオフによりメダル投入口３４から投入されたメダルがメダル排出口７７ａから排出される状態となること、受付可能表示ＬＥＤ４９のオフにより遊技者にメダル投入が不許可の状態であることが報知される（メダル投入が不許可の状態）。
【０１６６】
一方、エラー中でなければ、ＣＰＵはステップＳ１１１２で投入可能フラグＦａｉを確認（オン／オフの確認）する。投入可能フラグＦａｉは、メイン処理側でメダルの受付を開始すべきタイミングでオンされ、スタートレバー３８の操作に基づきオフされるフラグである。この投入可能フラグＦａｉがオフであれば、ＣＰＵはステップＳ１１１８の処理を実行する。即ち、投入可能フラグＦａｉがオフであれば、メダル投入が不許可の状態となる。また投入可能フラグＦａｉがオンであれば、ＣＰＵはステップＳ１１１３でメダル払い出し中であるか否かを判定する。
【０１６７】
メダル払い出し中であるか否かは、例えばメダル払い出し要求、又は精算要求の何れかがオンであるか否かにより判定できる。メダル払い出し中であれば、ＣＰＵはステップＳ１１１８の処理を実行してメダル投入が不許可の状態とし、メダル払い出し中でなければステップＳ１１１４に処理を進める。
【０１６８】
ＣＰＵはステップＳ１１１４でベット３枚（投入枚数＝「３」）且つクレジット５０枚の状態であるか否かを判定する。ベット３枚且つクレジット５０枚の状態であれば、ＣＰＵはステップＳ１１１８の処理を実行してメダル投入が不許可の状態とし、メダル払い出し中でなければステップＳ１１１５に処理を進める。
【０１６９】
ＣＰＵはステップＳ１１１５で通過中のメダルを加味してベット３枚且つクレジット５０枚の状態となるか否かを判定する。即ち、現在がベット２枚且つクレジット５０枚の状態であって、ステップＳ１１０３でメダル投入中（第１センサ８２又は第２センサ８３の何れかを通過中）と判定されたか否かを判定する。これは、メダルが後１枚投入されると、メダルの受付を禁止する受付禁止前状態において、第１センサ８２、第２センサ８３の何れかがメダルを検出中であるか否かを判定していることに相当する。
【０１７０】
ステップＳ１１１５において、通過中のメダルを加味してベット３枚且つクレジット５０枚の状態とならない場合には、ＣＰＵはステップＳ１１１６に進み、駆動ソレノイド９６及び受付可能表示ＬＥＤ４９をオンとするための処理を実行する。これによってメダルの投入が可能になる。
【０１７１】
通過中のメダルを加味してベット３枚且つクレジット５０枚の状態となる場合には、ＣＰＵはステップＳ１１１７に進み、駆動ソレノイド９６をオフ、受付可能表示ＬＥＤ４９をオンとする処理を実行する。即ち、メダルの受付禁止前の状態において、第１センサ８２、第２センサ８３の何れかがメダルを検出中の場合には、メダル投入口３４から投入されたメダルがメダル排出口７７ａから排出される状態となり、遊技者に対しては受付可能表示ＬＥＤ４９によりメダルが投入可能であることを報知する。
【０１７２】
この実施形態では、駆動ソレノイド９６のオフとマックスベットボタン３７の受付の無効化とを連動させる処理が組まれている。即ち、タイマ割込み処理における貯留メダルの精算処理において駆動ソレノイド９６がオフであれば、マックスベットＬＥＤをオフにする処理が実行される。そして、マックスベットＬＥＤがオフであれば、ステップＳ１１２５の処理（図１９）により、マックスベットボタン３７の受付が無効化される。何故なら、マックスベットボタン３７のオンエッジ検知確認のための処理（ステップＳ１１２８）がパスされるため、マックスベットボタン３７の操作受付が無効化される。この結果、メダルの受付禁止前の状態において、第１センサ８２、第２センサ８３の何れかがメダルを検出中である場合には、駆動ソレノイド９６のオフに連動して、マックスベットボタン３７の操作受付が無効化される。
【０１７３】
またステップＳ１１０３、Ｓ１１１５〜Ｓ１１１７の処理によると、メダルの受付禁止前状態以外の状態（ベット２枚且つクレジット５０枚の状態以外の状態）の場合には、第１センサ８２、第２センサ８３の何れかがメダルを検出中であるか否かに拘わらず、駆動ソレノイド９６がオフとならず、マックスベットボタン３７の操作受付が無効化されない。但し、エラー中（ステップＳ１１１１）、投入可能フラグ＝オフ（ステップＳ１１１２）、メダル払い出し中（ステップＳ１１１３）、メダル受付禁止状態（ステップＳ１１１４）は除く。換言すれば、メダルの受付禁止前状態以外の状態においては、第１センサ８２、第２センサ８３の何れかがメダルを検出中であっても、マックスベットボタン３７の操作受付が無効化されることはない。
【０１７４】
メダルを後１枚投入するとメダルの受付が禁止される受付禁止前状態において、第１センサ８２、第２センサ８３の何れかがメダルを検出中である場合には、マックスベットボタン３７の操作受付を無効とする。しかし、受付禁止前状態以外の状態においては、第１センサ８２、第２センサ８３の何れかがメダルを検出中であっても、マックスベットボタン３７の操作受付を無効としないように処理をする。
【０１７５】
メダルの受付禁止前状態において、第１センサ８２、第２センサ８３の何れかがメダルを検出中である場合に、マックスベットボタン３７の操作受付を有効としてしまうと、いわゆるメダルの飲み込み（メダルが検出もされず返却もされずに取り込まれてしまうこと）を誘発するので、メダルの飲み込みを防止している。
【０１７６】
図１８において、ＣＰＵはステップＳ１１１６、Ｓ１１１７又はＳ１１１８の処理を実行してから、図１９のステップＳ１１１９に処理を進める。
【０１７７】
図１９のステップＳ１１１９〜Ｓ１１２９は、主に正常なメダルの通過に応じて投入枚数又はクレジットの値をインクリメントし、またマックスベットボタン３７の操作に応じてベットカウンタやベットタイマの値をセットする処理となる。
【０１７８】
先ずＣＰＵはステップＳ１１１９でメダルが第１センサ８２、第２センサ８３を正常に通過したか否かを判定する。このステップＳ１１１９の処理はステップＳ１２１２（図１８）と同様である。このステップＳ１１１９において、「正常に通過」との判定は、第２センサ８３の検出信号がオフに転じたタイミングで実行されるタイマ割込み処理においてのみであり、「正常に通過」していないとの判定は、メダルが第１センサ８２、第２センサ８３の何れかを通過中である場合も含まれるものである。
【０１７９】
ステップＳ１１１９において、第１センサ８２、第２センサ８３をメダルが正常に通過したと判定した場合、ＣＰＵはステップＳ１１２０に進み、受付可能表示ＬＥＤ４９のオン／オフを確認し、受付可能表示ＬＥＤ４９がオフであれば、ステップＳ１１２３（図１８）の処理に進む。即ち、ステップＳ１１１９で第１センサ８２、第２センサ８３を正常に通過したと判定されたにも拘わらず、ステップＳ１１１９において、受付可能表示ＬＥＤ４９がオフでメダルの投入許可中ではないと判定された場合には、投入エラーフラグをセットした上で（Ｓ１１２３）、メダル投入が不許可の状態とされる（Ｓ１１２４）。
【０１８０】
受付可能表示ＬＥＤ４９がオンであれば、ＣＰＵはステップＳ１１２１でメダルの投入枚数又はクレジットの値をインクリメントし、投入音コマンドをセットする処理を実行する。ステップＳ１１２１での投入枚数の値のインクリメントは、投入枚数の値が「２」以下である場合に行い、クレジットの値のインクリメントは投入枚数の値が「３」の場合に行う。
【０１８１】
ＣＰＵはステップＳ１１２２で投入枚数表示ＬＥＤのデータの更新処理を実行する。即ち、ステップＳ１１２１での投入枚数又はクレジットの値のインクリメントに応じて、ＲＡＭ８２ｃの投入枚数表示ＬＥＤデータを更新する。例えば、投入枚数のインクリメントであれば、コモン４（投入枚数表示１〜３）として設定されるべきデータを更新し、クレジットのインクリメントであれば、コモン２、３として設定されるべきデータを更新する。そして、ステップＳ１１２２の更新処理を実行すると、ＣＰＵはステップＳ８１３のメダル投入処理を終える。
【０１８２】
また、ＣＰＵはステップＳ１１１９で第１センサ８２、第２センサ８３を正常に通過していないと判定した場合には、ステップＳ１１２５に処理を進める。ステップＳ１１２５では、マックスベットＬＥＤのオン／オフを確認し、マックスベットＬＥＤがオフであれば、メダル投入処理を終える。そのためマックスベットＬＥＤのオフに連動して、マックスベットボタン３７のオンエッジ検知確認のための処理（ステップＳ１１２８）が実行されないこととなり、マックスベットボタン３７の操作受付が無効化される。
【０１８３】
マックスベットＬＥＤがオンであれば、ＣＰＵはステップＳ１１２６に進み、投入枚数の値が「３」であるか否かを判定する。投入枚数の値が「３」であれば、ＣＰＵはメダル投入処理を終える。これはマックスベット処理が不要なためである。
【０１８４】
投入枚数の値が「３」でなければ、ＣＰＵはステップＳ１１２７に進み、ベットカウンタが「０」であるか否かを判定し、ベットカウンタが「０」でなければ、メダル投入処理を終える。ベットカウンタが「０」でない場合には、マックスベット処理中であることを意味するので、マックスベットボタン３７のオンエッジ検知確認（ステップＳ１１２８）、ベットカウンタ及びベットタイマをセット（ステップＳ１１２９）する処理は不要であり、これらの処理をパスしてメダル投入処理を終える。
【０１８５】
ベットカウンタが「０」の場合には、ＣＰＵはステップＳ１１２８でマックスベットボタン３７のオンエッジが検出されているか否かを判定する。マックスベットボタン３７のオンエッジが検出されていなければ、ＣＰＵはメダル投入処理を終える。
【０１８６】
マックスベットボタン３７のオンエッジが検出されていれば、ＣＰＵはステップＳ１１２９に進み、クレジットからの投入が可能ならベットカウンタ及びベットタイマをセットする処理を実行する。そして、クレジットの値が「２」以下の場合には、ベットカウンタにクレジットの値と同値をセットすると共にベットタイマをセットし、クレジットの値が「３」以上の場合にはベットカウンタに「３」をセットすると共にベットタイマをセットする。ＣＰＵはステップＳ１１２９の処理を実行した後、メダル投入処理を終える。
【０１８７】
なお、マックスベットボタン３７のオン操作に応じてベットカウンタ及びベットタイマがセットされると、その後に実行されるタイマ割込み処理におけるメダル投入処理では、ステップＳ１１０４（図１８）でベットカウンタが「０」でないと判定されて、ステップＳ１１０５でベットタイマが消費される。そして、ベットタイマが「０」となったことに応じて（Ｓ１１０６）、ステップＳ１１０７以降の処理が実行されて、クレジットからの投入（Ｓ１１１０：クレジットを−１、投入枚数を＋１）が実現される。
【０１８８】
なお、図１８及び図１９のメダル投入処理では、マックスベット処理中においても、メダル投入口３４からメダルの投入が可能である。これは、ステップＳ１１０４でベットカウンタが「０」でないと判定された場合にも、ステップＳ１１２１による投入枚数又はクレジットのインクリメントが行われ得ることからも明らかである。
【０１８９】
このようにマックスベット処理中においてメダルの投入が行われた場合には、第１センサ８２、第２センサ８３の何れかがメダルを検出中のときにはマックスベット処理を中断し、メダルが正常に投入されたと判定した場合にマックスベット処理を再開する。更にマックスベット処理の中断中に投入枚数が「３」（所定数）になった場合は、マックスベット処理を終了する。
【０１９０】
図２３、図２４は本発明の第２の実施形態を例示する。この実施形態の投入口部材３５は、メダル受け部７０の後端側で第１部材６５と第２部材６６との間にメダル投入口３４が上下方向に設けられており、メダル投入口３４は上端側の入口３４ａが広く、下端側の出口３４ｂ側が入口３４ａよりも狭くなるテーパー状に形成されているが、第２部材６６側の構成が若干相違している。
【０１９１】
第２部材６６には、当接部７１の下側にメダル投入口３４の後壁面７２ａがあり、その後壁面７２ａは左右方向の略中央側が第１部材６５の前壁面６９ａに突出する平面視円弧状の湾曲面７２ｂとなっている。そして、湾曲面７２ｂの上端側と前壁面６９ａとの間隔は、メダルの厚みよりも大でメダルの厚みの２倍未満となり、湾曲面７２ｂの下端側と前壁面６９ａとの間隔よりも大となっている。また湾曲面７２ｂの下端側と前壁面６９ａとの間隔は、メダルの厚みよりも大となっている。湾曲面７２ｂはメダル投入口３４の入口３４ａよりも上側の当接部７１に跨がって設けてもよい。他の構成は第１の実施形態と同様である。
【０１９２】
このようにメダル投入口３４の入口を広く、下端側の出口３４ｂ側を入口３４ａよりも狭くすることにより、厚みの厚い不正メダルＭの投入を防止することが可能である。その場合、メダル投入口３４の前壁面６９ａ、後壁面７２ａの何れか一方、又は両方に、相手側に接近する湾曲面７２ｂを設けてもよい。また湾曲面７２ｂに代えて上下方向に長い突条を左右方向に１本又は複数本設けてもよい。この場合には、メダルと湾曲面７２ｂ又は突条との接触面積を小さくすることができる。
【０１９３】
図２５は本発明の第３の実施形態を例示する。第１部材６５側にメダル受け部７０を設けるに当たっては、図２５（Ａ）に示すように、前下がりに傾斜するメダル受け部７０とメダル投入口３４の入口３４ａとの間に、入口３４ａ側に傾斜するメダル案内面７０ａを設けてもよいし、図２５（Ｂ）に示すように、メダル受け部７０をメダル投入口３４の入口３４ａ側へと後下がりに傾斜する傾斜状に形成して、そのメダル受け部７０がメダル案内面７０ａを兼用するようにしてもよい。
【０１９４】
図２６は本発明の第４の実施形態を例示する。第１部材６５の前壁部６９、第２部材６６の後壁面７２ａには、図２６（Ａ）（Ｂ）に示すように、上下方向の突条６９ｃ，７２ｃが左右方向に複数設けられており、この前後の突条６９ｃ，７２ｃ間がメダル投入口３４となっている。他の構成は各実施形態と同様である。
【０１９５】
このようにすれば、前後の突条６９ｃ，７２ｃ間でメダルを案内することになる。この場合には、メダル投入口３４の前後両側に対するメダルの接触面積が少なくなるので、投入時の抵抗を少なくすることができる。
【０１９６】
図２７は本発明の第５の実施形態を例示する。この実施形態は、メダル投入用ホッパー部１３０と、メダル投入用ホッパー部１３０から斜め方向（投入方向）に傾斜状に形成されたメダル投入口３４とを有し、メダル投入用ホッパー部１３０内のメダルを、メダル投入用ホッパー部１３０からメダル投入口３４に跨がって設けられた下傾斜面１３１に沿って滑りながらメダル投入口３４に入るようになっている。
【０１９７】
図２７（Ａ）（Ｂ）の何れの場合にも、下傾斜壁１３２と上傾斜壁１３３との間に設けられている。図２７（Ａ）の上傾斜壁１３３は、入口３４ａ側に対して出口３４ｂ側が下傾斜壁１３２に接近して配置されており、その入口３４ａはメダル１枚の厚みよりも大で、メダル２枚の厚み未満となっている。出口３４ｂは入口３４ａ側よりも小であり、メダル１枚の厚みよりも大になっている。
【０１９８】
図２７（Ｂ）の上傾斜壁１３３は下傾斜壁１３２と略平行であり、その上傾斜壁１３３には入口３４ａの隙間を制限する入口制限部材１３４と、出口３４ｂの隙間を制限する出口制限部材１３５とが設けられている。入口制限部材１３４と下傾斜壁１３２との間隔、即ち、メダル投入口３４の入口３４ａ側は、メダル１枚の厚みよりも大で、メダル２枚の厚み未満となっている。また出口制限部材１３５と下傾斜壁１３２との間隔は入口３４ｂ側よりも小であり、メダル１枚の厚みよりも大になっている。
【０１９９】
各制限部材１３４，１３５は上傾斜壁１３３に対して一体又はネジ等の固定手段で着脱自在に設けられている。なお、制限部材１３４，１３５にはその上手側部分にメダルの案内部１３４ａ，１３５ａを設けることが望ましい。
【０２００】
このようにメダル投入口３４の下傾斜面１３１に沿ってメダルを滑らせながら投入するメダル投入口３４の場合にも、同様に実施可能である。従って、略鉛直方向にメダルが落下するメダル投入口３４、下傾斜面１３１に沿ってメダルが斜め方向に滑落するメダル投入口３４の何れの場合にも同様に実施可能である。
【０２０１】
以上、本発明の実施形態について詳述したが、本発明はこれらの実施形態に限定されるものではなく、本発明の趣旨を逸脱しない範囲で種々の変更が可能である。例えば、メダル投入口３４は、メダルが投入可能な構成であれば十分であり、その投入方向は上下方向でもよいし、斜め方向でもよい。
【０２０２】
またメダル投入口３４は、メダルの厚み方向の入口３４ａ側の寸法を出口３４ｂ側よりも大にし、しかも入口３４ａ側の寸法はメダル１枚の厚みよりも大でメダル２枚の厚み未満とし、出口３４ｂ側の寸法はよりもメダル１枚の厚みよりも大にしているが、入口３４ａ側はメダル２枚の厚み未満で極力メダル２枚の厚みに近い寸法にし、出口３４ｂ側はメダルの通過速度を制限しない範囲内でメダル１枚に極力近い寸法にすることが望ましい。
【０２０３】
更にメダル投入口３４は、メダルの厚み方向に対向する二つの平滑な対向面間に形成することが望ましいが、二つの対向面の一方又は両方が平滑面以外の凹凸面、湾曲面等であってもよい。
【０２０４】
メダル投入口３４から投入又は挿入され不正部材は、不正メダルＭの他に、線材、帯板材その他のものがあるが、メダル投入口３４はその何れの不正部材に対しても対応できることが望ましい。メダル投入口３４は厚み方向を左右に向けた状態でメダルを投入するように設けたものでもよい。
【０２０５】
メダル案内シュート５５の湾曲内側壁１０２に高さの異なる上手壁部１０２ａと下手壁部１０２ｂとを設ける場合、上手壁部１０２ａは不正メダルＭと出口３４ｂとの間で糸状物Ｍａが張り状態になったときに、その糸状物Ｍａと接触しない程度の高さがあることが望ましく、また下手壁部１０２ｂは湾曲外側壁１０１に沿って倒れた状態で案内されるメダルが底部１０３上から外れない程度であればよい。
【０２０６】
糸状物Ｍａが連結された不正メダルＭを対象とする場合、湾曲内側壁１０２は湾曲外側壁１０１と略同高さ程度でもよいし、湾曲外側壁１０１よりも若干低い程度でもよい。その場合には、不正メダルＭがメダル案内シュート５５の終端から落下した後に、糸状物Ｍａを引っ張れば、第２引っ掛け部１０６に引っ掛かるので、それ以上の不正行為を防止できる。
【０２０７】
また湾曲内側壁１０２の終端側の放出部１００から不正メダルＭを落下させる場合には、その放出部１００の上手側の第１引っ掛け部１０４のみとして、第２引っ掛け部１０６を省くことも可能である。
【０２０８】
また遊技機は、メダル投入口３４を備えたものであれば、スロットマシン、パチンコ機、アレンジボール機等の何れの遊技機であってもよい。
【０２０９】
なお、この実施形態のスロットマシンは、メダル選別手段４３に設けられた投入センサ８０、第１センサ８２、第２センサ８３によるメダルの検出態様に基づいて、投入メダルのエラー判定を行うエラー判定手段（主制御基板８のＣＰＵ）を備えている。
【０２１０】
このエラー判定手段は、第１センサ８２及び第２センサ８３がメダルを検出しない第１状態（順番「０」）、第１センサ８２がメダルを検出し第２センサ８３がメダルを検出しない第２状態（順番「１」）、第１センサ８２及び第２センサ８３がメダルを検出する第３状態（順番「２」）、第１センサ８２がメダルを検出せず第２センサ８３がメダルを検出する第４状態（順番「３」）の順番でメダルの検出態様が遷移する場合に正メダルの通過と判定し、前記順番とは異なる検出態様で遷移する場合に不正メダルＭと判定する検出順序判定手段を含んでいる。この検出順序判定手段は第２状態の次に第１状態に遷移した場合にエラーではないと判定する。これにより投入メダルのエラー判定の適正を担保できる。
【０２１１】
またこのスロットマシンは、１ゲームに対して所定数の賭数を設定することによりゲームが開始可能となり、図柄表示手段３の変動後の表示結果がでたときに１ゲームが終了し、図柄表示手段３の表示結果に応じて入賞が発生可能であって、メダル投入口３４から投入されてクレジットとして貯留状態にあるメダルを賭数の設定に指示するためのベット操作手段（マックスベットボタン３７）と、このベット操作手段の操作受付を有効又は無効に制御する操作受付制御手段（主制御基板８のＣＰＵ）とを備えている。
【０２１２】
操作受付制御手段は、メダルが後１枚取り込まれるとメダルの受付が禁止される受付禁止前状態において、第１センサ８２又は第２センサ８３の何れかがメダルを検出中である場合にベット操作手段の操作受付を無効とし、受付禁止前状態以外の状態においては、第１センサ８２又は第２センサ８３の何れかがメダルを検出中であっても、ベット操作手段の操作受付を無効としないように構成されている。これにより、メダルの飲み込み防止を図ることができる。
【０２１３】
更にこのスロットマシンは、第１センサ８２と第２センサ８３によるメダルの検出態様が正常である場合にメダル投入と判定する投入判定手段（主制御基板８のＣＰＵ）と、賭数が所定数に満たない状態において投入判定手段がメダル投入と判定した場合に賭数を増加させる処理を行う投入メダルベット処理手段（主制御基板８のＣＰＵ）と、クレジットとして貯留状態にあるメダルを所定数の賭数の設定に指示するためのマックスベット操作手段と、マックスベット操作手段に対する操作に基づき、クレジットとして貯留状態のメダル数の範囲内において、所定数に達するまで賭数を増加させるためのマックスベット処理を行うマックスベット処理手段（主制御基板８のＣＰＵ）とを備えている。
【０２１４】
このスロットマシンは、マックスベット処理を行うマックスベット処理手段の他に、クレジットとして貯留状態のメダルの精算を指示するためのメダル精算操作手段と、メダル精算操作手段に対する操作に基づき、メダルの精算のための処理を行う精算処理手段とを備えている。
【０２１５】
投入メダルベット処理手段は、マックスベット処理手段がマックスベット処理を実行中のときにもメダル投入口３４からのメダルの投入受け付けを有効とし、マックスベット処理手段は、複数の第１選別手段、第２選別手段の何れかがメダルを検出中の場合にマックスベット処理を中断し、投入判定手段がメダルの投入と判定した場合にマックスベット処理を再開し、中断中に賭数が所定数に至った場合はマックスベット処理を終了する（図１５及び図１６等を参照）。これにより、メダルの飲み込み防止を図ることができる。
【０２１６】
このスロットマシンは、周方向に複数の図柄が表示された複数の回転リール１０ａ〜１０ｃと、各回転リール１０ａ〜１０ｃを駆動するステッピングモータ等の回転駆動手段と、遊技動作を進行させるための処理を実行する制御手段（ＣＰＵ）とを備えている。
【０２１７】
なお、制御手段は、回転リール１０ａ〜１０ｃの回転開始命令に応じて回転リール１０ａ〜１０ｃを徐々に加速させながら起動させる起動処理を行う回転リール起動手段と、起動処理後の回転リール１０ａ〜１０ｃを定常回転させる定常回転手段と、定常回転中に回転リール１０ａ〜１０ｃの回転停止操作が行われた場合に、その回転停止操作が行われたときの図柄位置に基づいて所定の最大滑りコマ範囲内で停止位置を決定する停止位置決定手段と、停止位置決定手段が決定した停止位置に対応する図柄の特定の停止ステップ位置に達した場合に回転リール１０ａ〜１０ｃを停止させるための停止制御を開始する停止手段とを含むようにしてもよい。
【０２１８】
またスロットマシンは、タイマ割込み処理においてエラーの有無に応じたエラーフラグをセットするエラー監視手段と、タイマ割込み処理においてエラーフラグに応じてエラー報知のための処理を実行するエラー報知手段とを含むようにしてもよい。
【符号の説明】
【０２１９】
３４  メダル投入口
３４ａ  入口
３４ｂ  出口
６９ａ  前壁面
７２ａ  後壁面
【図１】
2018042813.tif 000003
【図２】
2018042813.tif 000004
【図３】
2018042813.tif 000005
【図４】
2018042813.tif 000006
【図５】
2018042813.tif 000007
【図６】
2018042813.tif 000008
【図７】
2018042813.tif 000009
【図８】
2018042813.tif 000010
【図９】
2018042813.tif 000011
【図１０】
2018042813.tif 000012
【図１１】
2018042813.tif 000013
【図１２】
2018042813.tif 000014
【図１３】
2018042813.tif 000015
【図１４】
2018042813.tif 000016
【図１５】
2018042813.tif 000017
【図１６】
2018042813.tif 000018
【図１７】
2018042813.tif 000019
【図１８】
2018042813.tif 000020
【図１９】
2018042813.tif 000021
【図２０】
2018042813.tif 000022
【図２１】
2018042813.tif 000023
【図２２】
2018042813.tif 000024
【図２３】
2018042813.tif 000025
【図２４】
2018042813.tif 000026
【図２５】
2018042813.tif 000027
【図２６】
2018042813.tif 000028
【図２７】
2018042813.tif 000029